(57)【要約】  本発明は、特に、多重分析の状況下で、スポットに分析方法を実行するための対照マーカーの使用に関する。したがって、本発明は、前記対照マーカーを含有する固体支持体、その調製方法および分析方法におけるその使用に関する。本発明は、分析方法の終了時にスポットの存在、位置および／または完全性を検証すること、したがって、生じた結果が存在する未処置の局在化されたスポットから実際に生じたことを保証しながら得られた結果を確実にすることを可能にする。【特許請求の範囲】
【請求項１】
少なくとも１つの試料中の少なくとも１つの分析物を検出するための方法であって、
ａ）分析される試料を固体支持体のコンパートメントのスポットの存在下に置くステップであって、前記スポットまたは複数の前記スポットのうちの少なくとも１個が、少なくとも１つの耐性対照マーカーおよび分析物の少なくとも１つの捕捉リガンドを含むステップ、
ｂ）分析物の少なくとも１つの検出リガンドを前記コンパートメントのスポットの存在下に置くステップであって、分析物の前記検出リガンドが直接または間接検出マーカーにカップリングされている、ステップ、
ｃ）分析物の少なくとも１つの検出リガンドが間接検出マーカーにカップリングされている場合、前記間接検出マーカーのレポーターを前記コンパートメントのスポット（の存在下に置くステップ、
ｄ）ステップｃ）において使用される前記レポーターが間接検出マーカーにカップリングされている場合、ステップｃ）において使用される前記レポーターにカップリングされている前記間接検出マーカーのレポーターを前記コンパートメントのスポットの存在下に置くステップ、
ｅ）前記コンパートメント中の少なくとも１つの耐性対照マーカーによって生成される少なくとも１つのシグナルを検出するステップ、
ｆ）ステップｅ）において検出された少なくとも１つのシグナルの位置から少なくとも１つのリーディンググリッドを定義するステップ、
ｇ）任意選択で、分析物の検出リガンドの少なくとも１つの検出マーカーによって生成されるシグナルを検出するステップ、ならびに
ｈ）任意選択で、ステップｆ）において定義されたリーディンググリッドでステップｇ）において検出されたシグナルを読み取るステップ
を含む方法。
【請求項２】
分析物の検出リガンドの少なくとも１つの検出マーカーによって生成される前記シグナルがルミネッセントシグナルであることを特徴とする、請求項１に記載の方法。
【請求項３】
前記耐性対照マーカーまたは複数の前記耐性対照マーカーのうちの１つがフルオロフォアであることを特徴とする、請求項１または２に記載の方法。
【請求項４】
前記耐性対照マーカーまたは複数の前記耐性対照マーカーのうちの１つがフルオロフォアであり、その励起スペクトルが、分析物の前記検出リガンドの検出マーカーによって放出されるまたはそれに対応する前記シグナルの発光スペクトルに重複せず、その発光スペクトルが、分析物の前記検出リガンドの前記検出マーカーのまたはそれに対応する前記発光スペクトルに重複しないまたは部分的に重複することを特徴とする、請求項３に記載の方法。
【請求項５】
−  分析物の検出リガンドの少なくとも１つの検出マーカーによって生成される前記シグナルが、ペルオキシダーゼと、ルミノール、ルミノールの類似物および／またはルミノールもしくはルミノールの類似物の誘導体との反応によって得られた化学ルミネッセンス化合物によって放出される光であり、
−  耐性対照マーカーによって生成された前記シグナルが波長３７５から５５０ｎｍまで以外で放出される光である
ことを特徴とする、請求項１から４の一項に記載の方法。
【請求項６】
耐性対照マーカーを選択するための方法であって、
ａ）検査されるマーカーを固体支持体の表面に沈着させて、少なくとも１個のスポットを形成させるステップ、
ｂ）任意選択で、前記固体支持体の表面を飽和させるステップ、
ｃ）任意選択で、前記固体支持体の表面を乾燥させるステップ、
ｄ）
（ｉ）１回または複数回の洗浄ステップを実施するステップ、
（ｉｉ）前記スポットを少なくとも１つの検出リガンドの存在下に置くステップ、
（ｉｉｉ）前記スポットを少なくとも１つのレポーターの存在下に置くステップ、
（ｉｖ）前記スポットを少なくとも１つの基質の存在下に置くステップ
のうちの少なくとも１つを実行するステップ、
ｅ）ステップｄ）の終了時にシグナルを生成するマーカーを選択するステップ
を含む方法。
【請求項７】
試料中の少なくとも１つの分析物を検出するための固体支持体であって、前記固体支持体が、少なくとも１個のスポットを含む少なくとも１つのコンパートメントを含み、前記スポットが、少なくとも１つの耐性対照マーカーおよび少なくとも１つの捕捉リガンドを含み、前記耐性対照マーカーが、検出方法の終了時に検出可能なシグナルを生成するように、少なくとも１つの分析物を検出するための方法の実行の際に固体支持体の表面の前記スポットに少なくとも部分的に固定されたままであるマーカーであることを特徴とする固体支持体。
【請求項８】
前記耐性対照マーカーまたは複数の前記耐性対照マーカーのうちの１つが、請求項６に記載のおよび／または請求項３から５の一項に記載の方法を介して選択される耐性対照マーカーであることを特徴とする、請求項７に記載の支持体。
【請求項９】
試料中の少なくとも１つの分析物を検出するための固体支持体を調製するための方法であって、
ａ）固体支持体の少なくとも１つのコンパートメントの表面に、少なくとも１つの耐性対照マーカーおよび少なくとも１つの捕捉リガンドを含む混合物を沈着させて、スポットを得るステップであって、前記耐性対照マーカーが検出方法の終了時に検出可能シグナルを生成するように、少なくとも１つの分析物を検出するための方法の実行の際に固体支持体の表面の前記スポットに少なくとも部分的に固定されたままであるマーカーである、ステップ、
ｂ）ステップａ）をｎ−１回（ｎは１以上の整数である）繰り返して、前記コンパートメントの表面の分析物を検出する目的でｎ個のスポットを得るステップ、
ｃ）任意選択で、前記コンパートメントの表面を飽和させるステップ、ならびに
ｄ）任意選択で、前記コンパートメントの表面を乾燥させるステップ
を含む方法。
【請求項１０】
前記捕捉リガンドが、抗体、抗原、核酸およびそれらの組合せからなる群から選択されることを特徴とする、請求項９に記載の方法。
【請求項１１】
前記耐性対照マーカーがフルオロフォアであることを特徴とする、請求項９または１０に記載の方法。
【請求項１２】
試料中の少なくとも１つの分析物を検出するためのデバイスであって、
−  固体支持体で少なくとも１つの耐性対照マーカーによって生成されるシグナルおよび分析物の検出リガンドの少なくとも１つの検出マーカーによって生成されるシグナルを検出するための手段であって、照明システム、テレセントリック対物レンズ、フィルターホイールおよびカメラを含む手段、ならびに
−  少なくとも１つの耐性対照マーカーによって生成されるシグナルの位置からリーディンググリッドを定義するため、および分析物の検出リガンドの少なくとも１つの検出マーカーによって生成される前記シグナルを前記リーディンググリッドで読み取るための手段
を含むデバイス。
【請求項１３】
試料中の少なくとも１つの分析物を検出するための方法を確実にするために分析物を検出することを目的とする少なくとも１個のスポット中の少なくとも１つの耐性対照マーカーの使用であって、
−  試料および検出される分析物の少なくとも１つの検出リガンドの存在下に置かれた後に、前記スポットの質をチェックすること、ならびに／または
−  前記耐性対照マーカーによって生成されるシグナルの位置から定義されるリーディンググリッド上で検出され、分析方法の終了時に検出される分析物の検出リガンドの少なくとも１つの検出マーカーによって生成される前記シグナルの読み取り
を含むことを特徴とする使用。
【発明の詳細な説明】
【技術分野】
【０００１】
本発明は、特に、多重分析の状況下で、スポットに分析方法を実行するための対照マーカーの使用に関する。したがって、本発明は、前記対照マーカーを含有する固体支持体、その調製方法および分析方法におけるその使用に関する。本発明は、分析方法の終了時にスポットの存在、位置および／または完全性を検証すること、したがって、生じた結果が存在する未処置の局在化されたスポットから実際に生じたことを保証しながら得られた結果を確実にすることを可能にする。
【背景技術】
【０００２】
多重分析方法は、同じ試料中のいくつかの分析物の潜在的存在を同時に検出できるようにする。多重分析方法は、典型的にはスポットを含む固体支持体、例えば各ウエル中にスポットを含むマイクロプレートを使用して実行され、各スポットは分析物を検出するまたは対照の役割を果たすことを目的とする。
【０００３】
スポット技術に関する１つの危険性は、沈着の欠如、固体支持体を、特にマイクロプレートを調製する方法の際、または前記固体支持体を使用する分析方法の実行の際のいくつかのスポットの消失もしくは劣化であることは当業者に明らかである。実際に、試料または試薬を沈着させるためのデバイスは、１つまたはいくつかのスポットと偶然に接触するようになる場合があり、それにより例えば１つもしくはいくつかのスポットで溝を形成することによって、または１つもしくは複数のスポットの全体もしくは一部を引くことによって、それらの表面を変化させる。
【０００４】
例えば、Ｂａｓｔａｒａｃｈｅらによる論文（Accuracy and Reproducibility of a multiplex Immunoassay platform: a validation study,, J.Immunol Methods, Mar 31, 2011, 367 (1-2) 33-39）において、スポットの不規則性、あるスポットに対する付近のスポットの混入を生じるコマの存在、およびスポットの理論的位置で予測されるシグナルの欠如など、光シグナルに関する検査の終了時に観察された欠陥が示されている。
【０００５】
さらに分析方法の終了時に陰性の結果が与えられた場合、この結果は試料中での検出される分析物の欠如から生じ、対応する分析物の検出スポットの欠如または劣化からではないはずである。分析方法を確実にすることは、特に、ヒトでの診断における、例えば輸血目的の血液試料におけるウイルスまたは細菌混入の欠如を検証するためのそれらの使用において重要である。
【０００６】
スポット分析のための固体支持体の製造は、固体支持体の表面に、検出される分析物の捕捉リガンドを含む溶液を沈着させて、スポットを形成させることからなる。次に未変化で適格なスポットを有する固体支持体だけを維持するために固体支持体の質は、固体支持体の製造の終了時に検証される。
【０００７】
したがって、文献米国特許出願公開第２００６／００６３１９７号明細書は、ＤＮＡマイクロアレイのスポットの形成を目的とする沈着溶液におけるフルオロフォアの使用を記載している。フルオロフォアは、ＤＮＡマイクロアレイについての調製方法の終了時に各スポットの質を検証するために使用される。さらに、ＥＬＩＳＡ検査の実行の際に、基質を添加する前に弱い残存蛍光シグナルだけがスポットで検出される。
【０００８】
文献国際公開第２０１２／１４２３９７号パンフレットは、ＤＮＡマイクロアレイを含有するマイクロ流体アセンブリにおける流動課題を検討し、第１の末端に試料用の入口、ＤＮＡマイクロアレイおよび第２の末端に廃棄チャンバーに繋がれた試料用の出口を有するアレイチャンバーを含み、アレイチャンバーの第１の末端の横断面積が第２の末端のものよりも広いＤＮＡマイクロアレイアセンブリを記載している。この文献は、アレイのスポットで内部質対照フルオロフォアによって放出される蛍光を測定することおよびバーコード、メモリデバイスまたは高周波同定によってアレイの各スポットに関する情報をコードすることによってＤＮＡマイクロアレイの製造品質を検証するための方法も記載しており、それによりコードされているこの情報は、ＤＮＡマイクロアレイに関連付けられる。
【０００９】
さらに多重分析方法の実行の際に、検出される分析物に対応するシグナルは、理論的リーディンググリッド（reading grid）で検出され得る。この理論的リーディンググリッドは、陽性対照としての役割を果たすスポットで検出されたシグナルから一般に多重分析方法の終了時に定義される。しかし目盛りの読み取りの観点から、固体支持体の製造の際のスポットの位置調整におけるいかなるシフトおよび／または理論的リーディンググリッドと比較してシグナルを検出するためのデバイスにおける固体支持体の位置調整は、理論的リーディンググリッドと比較したスポットの実際の位置調整におけるシフトを生じ、それにより分析物の検出感度に影響を与える。
【発明の概要】
【発明が解決しようとする課題】
【００１０】
したがって、特に、分析方法の終了時にスポットの存在、位置および／または完全性を検証することを可能にすることによる、および／または分析物の検出を最適化することを可能にすることによる、例えば分析物の検出感度を改善することによる、スポットでの分析方法の終了時に得られた結果を確実にするための解決策がまだ必要である。
【課題を解決するための手段】
【００１１】
本発明は、試料中の検出される分析物の特異的捕捉リガンドと同時に、固体支持体にスポットを形成するように沈着させることができる対照マーカーを明らかにすることに基づいており、これらの対照マーカーは前記固体支持体を使用して実施される分析方法の終了時にシグナルを生成でき、分析物の検出をごくわずかに干渉する、または全く干渉しない。したがって、本発明による対照マーカーは、分析方法の終了時に、スポットの存在、位置および／または完全性を検証できるようにする。これらの対照マーカーは、「耐性対照マーカー（resistant control marker）として本明細書において認められる。
【００１２】
表現「分析方法」および「少なくとも１つの分析物を検出するための方法」は、本明細書において同義である。
【００１３】
用語「生成する」、「生成物」または「生成」は、任意の種類のシグナル、特に任意の種類の電磁放射線に、それが放射性シグナル、光の放出または吸収を含むかどうかに関わらず適用される。
【００１４】
検出されたシグナルが蛍光ルミネッセンスシグナルである場合、「生成されるシグナル」は特に「放出されるシグナル」および「シグナルを生成する」および「シグナルの生成」であり、それにより「シグナルを放出する」および「シグナルの放出」をそれぞれ意味する。
【００１５】
「少なくとも１つの分析物の検出」（または「少なくとも１つの分析物を検出する」）は本出願の範囲内で、前記分析物（複数可）の存在の検出（もしくは存在を検出する）および／または前記分析物（複数可）の定量（もしくは前記分析物（複数可）を定量する）を意味する。
【００１６】
「分析方法の終了」は、本発明の意義の範囲内において、分析される試料、分析物を検出するための１つまたは複数のリガンド、該当する場合分析物の検出リガンドにカップリングされた検出マーカーの少なくとも１つの（第１の）レポーターおよび該当する場合前記第１のレポーターにカップリングされた検出マーカーの少なくとも１つの（第２の）レポーターの存在下にスポットが置かれた後を意味する。
【００１７】
驚くべきことに、本発明者らは、固体支持体上に固定でき、分析方法それ自体を干渉せず、分析方法のさまざまなステップを実行した後に完全に検出可能なままである（特にそれらが固体支持体上に少なくとも部分的に固定されたままであることから）耐性対照マーカーを示した。分析方法の終了時に耐性対照マーカーによって生成されるシグナルがスポットの質の基準、特に存在、位置および／または完全性に合致するスポットを定義できるようにする場合、それにより分析物に対応するシグナルはこのスポットで検出され得る。特に、本発明による耐性対照マーカーは、少なくとも１つの分析物の存在が化学ルミネッセンスによって、好ましくはペルオキシダーゼ酵素とルミノール基質ならびに／またはルミノールの類似物、例えばイソルミノールおよび／もしくはそれらの誘導体のうちの１つとの反応を介して、放出されるシグナルによって検出される分析方法において使用され得る。
【００１８】
本発明による耐性対照マーカーは、固体支持体の調製方法の終了時だけでなく、分析方法の終了時に前記固体支持体のスポットを対照できるようにする有利点を有する。
【００１９】
したがって、本発明は、使用者のために結果を保証することを可能にする。特に、本発明は、陰性の結果が実際に試料中の分析物の欠如から生じ、例えばスポットの欠如またはスポットの読み取りにおけるシフトからではないことを保証することを可能にする。言い換えると、本発明は、分析方法の終了時にスポットの欠陥（すなわちスポットが質の基準に適合していない）および／またはスポットの読み取り欠陥に関し、リーディンググリッドが例えば陽性対照スポットによって放出されるシグナルで理論的に調整されている伝統的に使用される多重分析方法において検出されない偽陰性結果（「偽陰性」とも呼ばれる）を除外できるようにする。本発明は、陽性結果が実際に試料中の分析物の存在から生じていることを保証できるようにもする。例えばシグナルは、その位置にスポットが無いにも関わらずスポットの理論的位置（例えば対照スポットによって放出されるシグナルで調整された、理論的リーディンググリッドによって定義されるとおり）における分析物のマーカーに対応して検出される場合があり；そのような偽陽性結果（「偽陽性」とも呼ばれる）は伝統的分析方法の実行の際に生じ；固体支持体のスポットにおいて本発明による耐性対照マーカーを使用することによって、スポットのこの理論的位置では前記耐性対照マーカーに対応するシグナルは検出されず、分析方法は、その位置での分析物のマーカーに対応するシグナルの検出にも関わらず、与えられる結果の欠如を導く。
【００２０】
本発明の別の有利点は、耐性対照マーカーが分析方法の終了時にリーディンググリッドを定義できるようにすることにある。さらに、固体支持体の物理的パラメーターによって定義された理論的リーディンググリッドと前記固体支持体を使用して分析方法の終了時に定義されるものとの間に差異がある場合がある。これらの差異は、例えば予測される理論的スポットグリッドと分析方法の終了時に実際に得られたグリッド（１つまたはいくつかのスポット）との間のシフトから生じる場合があり、それによりこのシフトは、本出願に記載のデバイスによって補正される。それにより分析方法の終了時に固体支持体のリーディンググリッドを、好ましくは分析物の少なくとも１つの検出リガンドの検出マーカーによって生成されるシグナルを検出するために使用されたものと同じ検出デバイスで、好ましくは併用でさらに確実に定義できる。したがって、本発明による耐性対照マーカーは、分析方法の終了時に検出されたスポットの位置から分析物を検出するためのリーディンググリッドの定義により分析物検出の感度を改善することによってスポットでの分析方法の結果を確実にできるようにもする。
【００２１】
最後に、そのスポットが本発明による耐性対照マーカーを含む固体支持体の調製は、行うのが容易であり、いかなる追加的ステップも添加せず、例えば耐性対照マーカーはスポットを形成するように沈着される溶液中で捕捉リガンドなどの目的の化合物と単に混合されてよい。
【００２２】
本発明は特に、試料中の少なくとも１つの分析物の確実な検出のための固体支持体であって、分析物を検出することを目的とするその少なくとも１個のスポットが、少なくとも１つの耐性対照マーカーおよび分析物の少なくとも１つの捕捉リガンドを含む、固体支持体、そのような固体支持体を調製するための方法、ならびに前記固体支持体を使用する、少なくとも１つの試料中の少なくとも１つの分析物のための確実な検出方法に関する。
【００２３】
「少なくとも１」は、本出願の意義の範囲内では、１またはいくつか、いくつかは特に２、３、４、５、６、７、８、９、１０、１１、１２、１３、１４、１５または１５より多くを指す。同様に、本出願では「少なくとも」は、ｘまたはｘより多く、特にｘ＋１、ｘ＋２、ｘ＋３、ｘ＋４など、「ｘ」は２以上の整数、例えば２または３であることを意味する。
【００２４】
本発明による特に好ましい一分析方法は多重分析方法である。
【００２５】
本発明は、耐性対照マーカーを選択するための方法、ならびに試料中の少なくとも１つの分析物を検出するための方法を確実にするために分析物を検出することを目的とする少なくとも１個のスポット中の少なくとも１つの耐性対照マーカーの使用にも関する。
【００２６】
本発明は、試料中の少なくとも１つの分析物の検出の改善のために好適なデバイスも提供する。
【００２７】
試料
分析される試料は、好ましくは生物学的試料である。
【００２８】
生物学的試料は、血液試料、血液派生物（血漿もしくは血清などの）、尿、脳脊髄液、唾液またはそれらの組合せなどの生体液あるいは生検によって得られた組織、細胞、一連の細胞、植物抽出物またはそれらの組合せなどの組織試料であってよい。
【００２９】
血液派生物は、血液試料から得られる任意の産物、特に体液を指す。
【００３０】
分析される試料は、培養培地および／または培養上清であってもよい。
【００３１】
分析される前に、試料は、希釈、遠心分離、加熱処置、細胞溶解、可溶化および変性（例えば１つまたはいくつかのカオトロピック薬剤、１つまたはいくつかの還元剤によるおよび／または加熱による）、抽出、ＰＣＲ（ポリメラーゼ連鎖反応）、マーキングされていない検出リガンドの添加またはその組合せなどの１つまたはいくつかの前処置ステップを受けてよい。マーキングされていない検出リガンドの添加は、特に中和試験を実行するために有用である。
【００３２】
試料は、同じ性質または異なる性質であってよい少なくとも２つの試料の混合物であってもよい。
【００３３】
異なる性質の試料の混合物の例は、血液と尿との混合物、血液と血漿との混合物、血清と血漿との混合物、または血液、血清および血漿の混合物である。
【００３４】
本発明による１つの好ましい試料は、血液および／もしくは血液派生物（特に血漿および／もしくは血清）の試料または試料の混合物である。
【００３５】
分析物
試料中で検出される分析物は、試料中で検出および／または定量することを望む任意の種類の天然または合成の化合物であってよい。
【００３６】
分析物は、例えばタンパク質、ペプチド、糖タンパク質、炭水化物、細胞、オルガネラ、ウイルスまたは核酸であってよい。
【００３７】
細胞は、動物細胞、植物細胞、細菌細胞、原虫、後生動物細胞、酵母細胞または真菌細胞であってよい。
【００３８】
核酸は、１本鎖または２本鎖形態での、デオキシリボ核酸（ＤＮＡ）、リボ核酸（ＲＮＡ）またはホスホロチオエートもしくはチオエステルなどのその類似物などのリン酸ジエステル結合によって連結されたヌクレオチドのポリマーを指定する。
【００３９】
それにより、分析物または複数の分析物のうちの少なくとも１つは、抗原、抗体、抗体断片、ハプテン、ホルモン、ホルモン受容体、酵素または核酸からなる群から例えば選ばれる。
【００４０】
分析物（複数可）は、好ましくは抗原、抗体、抗体断片、ハプテン、ホルモン、ホルモン受容体および酵素からなる群から選択される。
【００４１】
本出願の意義の範囲内で「抗原」は、抗体または免疫系の細胞によって認識され、適切な状態下で宿主の免疫系に提示される場合に免疫応答を誘導できる天然、組換えまたは合成分子を指す。
【００４２】
抗原は、直鎖状または立体構造であってよい少なくとも１つのエピトープを含むまたはからなる分子、特にポリペプチドであってよい。用語「直鎖状エピトープ」は、前記抗原に対する抗体分子に結合できる、一般に３から１５アミノ酸、さらに一般に５から１５アミノ酸、好ましくは少なくとも６、８、１０もしくは１２アミノ酸を含むまたはからなるポリペプチド、特にペプチドを指す。用語「立体構造エピトープ」は、抗体によって認識され、空間中でのいくつかのアミノ酸の近位によって決定される三次元構造を指し、この抗体が方向付けられているタンパク質（またはポリペプチド）のペプチド配列においては隣接していない場合があるがポリペプチド鎖のフォールディングのために空間において互いに近いことを見出しており、それにより抗体によって認識され得るパターンを形成できる。
【００４３】
本発明の意義の範囲内において抗原は、例えばタンパク質（特に天然タンパク質もしくは組換えタンパク質）、ペプチド（例えば合成ペプチド）、糖タンパク質、炭水化物または脂質であり；前記ペプチドは担体分子に会合していてもしていなくてもよい。
【００４４】
「担体分子」は、特にタンパク質または炭水化物担体分子、特に担体タンパク質を指す。担体分子は、ポリペプチド（特にタンパク質またはペプチド）であってよく、天然であってもなくても（例えば組換えタンパク質または合成ペプチド）、機能性ポリマーであってもなくても（デキストラン、多糖類またはポリリジンなど）、混合共重合体であってもなくても（特に異なるアミノ酸の共重合体、例えばリジンチロシン共重合体）よい。担体分子は、抗体（特にモノクローナル抗体またはポリクローナル抗体）、例えば免疫グロブリン（Ｉｇとも称される）であってよい。
【００４５】
担体分子またはタンパク質の一例は、ＢＳＡ（ウシ血清アルブミン）である。
【００４６】
本出願において「ハプテン」は、担体分子にカップリングされる場合にだけ免疫原性である免疫系によって認識され得る低分子量の分子を指す。
【００４７】
分析物は、好ましくは対象における病理学的であってもなくてもよい状態を診断、または病理学的であってもなくてもよい状態を発症する危険性を診断できるようにする化合物である。非病理学的状態の例は妊娠である。
【００４８】
対象は、ヒト、非ヒト動物または植物であってよい。非ヒト動物は、好ましくはネコ、イヌ、サル、ウサギ、マウスまたはラットなどの哺乳動物である。
【００４９】
用語「ヒト」は、広範に使用され、特に、幼児、小児、青年、成人または高齢者などの任意の年齢の男性または女性を指定する。
【００５０】
好ましい一実施形態では、少なくとも１つの分析物は抗原または抗体から選ばれる。
【００５１】
分析物または複数の分析物のうちの１つが抗原である場合、それは好ましくは感染、例えばウイルス、細菌、真菌、原虫または後生動物によって生じる感染を診断できるようにする抗原である。
【００５２】
分析物または複数の分析物のうちの１つが抗体である場合、それは好ましくは感染、例えばウイルス、細菌、真菌、原虫または後生動物によって生じる感染を診断できるようにする抗体である。
【００５３】
別の好ましい実施形態では、少なくとも１つの分析物は核酸である。
【００５４】
別の好ましい実施形態では、分析物（複数可）は核酸ではない。
【００５５】
分析物または複数の分析物のうちの１つが核酸である場合、それは好ましくは感染、例えばウイルス、細菌、真菌、原虫または後生動物によって生じる感染を診断できるようにする核酸である。
【００５６】
典型的にはこれは、
−  ウイルス、ＨＩＶ（ヒト免疫不全ウイルス）、特に、ＨＩＶ−１もしくはＨＩＶ−２、ＨＢＶ（Ｂ型肝炎ウイルス）、ＨＣＶ（Ｃ型肝炎ウイルス）、ＨＰＶ（ヒトパピローマウイルス）、ＨＴＬＶ（ヒトＴリンパ球向性ウイルス）、特に、ＨＴＬＶ−ＩもしくはＨＴＬＶ−ＩＩなど、
−  寄生生物、ヒトもしくは非ヒト動物においてトキソプラズマ症（特に、トキソプラズマ原虫（Toxoplasma gondii）、マラリア（特に、プラスモジウム属（Plasmodium genus）の寄生生物、例えば熱帯マラリア原虫（Plasmodium falciparum）、三日熱マラリア原虫（Plasmodium vivax）、卵形マラリア原虫（Plasmodium ovale）、四日熱マラリア原虫（Plasmodium malariae）もしくは二日熱マラリア原虫（Plasmodium knowlesi）またはシャーガス病（特に、トリパノゾーマ・クルージ（Trypanosoma cruzi））を生じ得る寄生生物など、または
−  細菌、ヒトもしくは非ヒト動物において梅毒症（梅毒トレポネーマ（Treponema pallidum）またはライム病（特に、ボレリア属（Borrelia genus）からの細菌）を生じ得る細菌など
の１つもしくはいくつかの抗原および／細菌または１つもしくはいくつかの抗体および／または１つもしくはいくつかの特異的核酸を含んでよい。
【００５７】
本明細書において「寄生生物」は、身体に対して寄生生物として作用し寄生虫症を生じる後生動物または原虫を指す。本発明の意義の範囲内において寄生生物は、したがってウイルス、細菌または真菌ではない。
【００５８】
分析物または複数の分析物のうちの少なくとも１つは、心血管疾患のマーカーまたは糖尿病マーカー、肝炎などの疾患の進展のマーカー、ウイルス、細菌、真菌または寄生生物によって生じる感染の進展のマーカー、処置、例えば抗ウイルス処置、抗菌薬処置またはがん処置への抵抗性のマーカーなどの疾患に関するマーカーであってもよい。
【００５９】
本出願において記載されるいくつか（例えば２、３、４、５、６、７、８、９、１０、１１、１２、１３、１４、１５または１５より多く）の分析物は、多重分析方法の際に同じ試料中または試料の同じ混合物中で同時に検出されてよい。これは、同じ試料中または試料の同じ混合物中で、１つまたはいくつかの感染もしくは疾患、感染もしくは疾患の進展、状態（病理学的もしくは非病理学的）、状態（病理学的もしくは非病理学的）を発症する危険性または対象における処置への抵抗性のマーカーを診断できるようにし得る。
【００６０】
多重分析方法の際に検出される分析物は、同じ性質（例えば抗体だけ、抗原だけもしくは核酸だけ）または異なる性質（例えば、少なくとも１つの抗原および少なくとも１つの抗体）であってよい。
【００６１】
捕捉リガンド
捕捉リガンドは目的の化合物の特異的分子である。
【００６２】
捕捉リガンドは、試料中の検出される分析物に好ましくは特異的である。それは、一般に抗体、抗原、ペプチド、炭水化物、脂質または核酸を含む。
【００６３】
有利な一実施形態では、捕捉リガンドは核酸ではない。捕捉リガンド（複数可）は、例えば抗体、抗原、ペプチド、炭水化物および脂質からなる群から選択される。
【００６４】
捕捉リガンドは固体支持体の表面のスポットに固定されている。
【００６５】
好ましい一実施形態では、捕捉リガンド（複数可）は、抗体、抗原または核酸である。
【００６６】
より好ましい一実施形態では、捕捉リガンド（複数可）は、抗体または抗原である。
【００６７】
捕捉リガンドまたは複数の捕捉リガンドのうちの１つが抗体である場合、それは例えばモノクローナル抗体またはポリクローナル抗体を含む。
【００６８】
検出リガンド
検出リガンドは、目的の化合物の特異的分子である。それは、特に捕捉リガンドに固定された目的の化合物を検出できるようにする。
【００６９】
分析物の検出リガンドは、試料中の検出される分析物に特異的である。それは、特に捕捉リガンドに固定された分析物を検出できるようにする。
【００７０】
検出リガンドは、抗体、抗原、ペプチド、炭水化物、脂質または核酸であってよい。それは好ましくは抗体または抗原である。
【００７１】
別の実施形態では、検出リガンドまたは複数の検出リガンドのうちの１つは核酸である。
【００７２】
別の実施形態では、検出リガンドは核酸ではない。検出リガンド（複数可）は、例えば抗体、抗原、ペプチド、炭水化物および脂質からなる群から選択される。
【００７３】
検出リガンドまたは複数の検出リガンドのうちの１つが抗体である場合、それは例えばモノクローナル抗体またはポリクローナル抗体を含む。
【００７４】
検出リガンドまたは複数の検出リガンドのうちの１つは、好ましくはマーキングされた検出リガンド、すなわち検出マーカー（例えばビオチンまたはペルオキシダーゼであってよい）が結合されている検出リガンドである。検出マーカーは、共有結合または非共有結合によって、好ましくは共有結合によって検出リガンドに結合（すなわちカップリング）されている。検出リガンドまたは複数の検出リガンドのうちの１つは、直接または間接検出マーカーにカップリングされていてもよい。
【００７５】
検出リガンドがマーキングされていない場合、その検出は前記検出リガンドの特異的にマーキングされた抗体を使用することによって行われてよい。
【００７６】
検出リガンドは、いかなる検出マーカーの存在も除いて、使用される捕捉リガンドもしくは使用される複数の捕捉リガンドのうちの１つと同一であってよく、および／またはそれが捕捉リガンドもしくは複数の捕捉リガンドのうちの１つによって結合される同じ区域で特異的である分析物に、特にそれが特異的である分析物が少なくとも２つの同一の結合区域を有する複合体の形態である場合に、結合する。したがって、検出しようとする複数の分析物のうちの１つが抗体である場合、前記分析物の捕捉リガンドおよび検出リガンドとして前記抗体の同じ特定の抗原または、二価抗体による認識を可能にする少なくとも１つの共有区域（少なくとも１つの共有エピトープ）を含む２つの異なる抗原を使用できる。
【００７７】
捕捉リガンドおよび検出リガンドは、分析物の別々の区域に特異的であってもよい。
【００７８】
具体的な一実施形態では、同じ分析物（例えば抗原）に特異的な検出リガンドおよび捕捉リガンド（例えば抗体）は、前記分析物上の同じ位置に結合しない。例えば検出リガンドは、例えば捕捉リガンドおよび検出リガンドの、それらが特異的である化合物に対する競合を回避するために立体障害によって捕捉リガンドの結合区域とは別であり特異的である前記分析物の区域に結合できる。
【００７９】
検出リガンドの検出マーカー
検出リガンドにカップリングされた検出マーカーは、直接マーカーまたは間接マーカーであってよい。
【００８０】
直接マーカーは、そのシグナルが直接的に検出され得る、すなわちレポーターの事前の添加を必要としないマーカーである。
【００８１】
直接マーカーは、例えば放射性同位元素、フルオロフォア、ランタニドなどの周期表からの重元素、ルミネッセント化合物、ルテニウムなどの遷移金属、発色および有色、蛍光またはルミネッセントナノ粒子からなる群から選択される。
【００８２】
「ルミネッセント」化合物は、エレクトロルミネッセント化合物、熱ルミネッセント化合物または化学ルミネッセント化合物であってよい。好ましい一実施形態では、ルミネッセント化合物は、化学ルミネッセント化合物である。
【００８３】
直接マーカーとして使用され得るルミネッセント化合物（さらに詳細には熱ルミネッセント化合物）の一例は、ジオキセタン化合物の分子、特に１，２−ジオキセタン化合物またはジオキセタン化合物の誘導体、例えば１，２−ジオキセタンの誘導体を含む（例えば添加（dope）されている）シリカナノ粒子からなる。
【００８４】
間接マーカーは、レポーター（第１のレポーターとも呼ばれる）の事前添加、前記レポーターそれ自体が間接検出マーカーにカップリングされている場合、前記第１のレポーターにカップリングされた間接検出マーカーの第２のレポーターの添加を必要とするシグナルの検出のためのマーカーである。
【００８５】
レポーターは、間接マーカーの基質または間接マーカーに特異的に結合している分子であり、前記分子それ自体が直接もしくは間接マーカーである、またはそれ自体が直接もしくは間接マーカーにカップリングされている。
【００８６】
間接マーカーは、例えば酵素、リガンド受容体対のリガンド、リガンド受容体対の受容体、ハプテン、抗原および抗体からなる群から選択される。
【００８７】
リガンド受容体対のリガンドまたは受容体は、例えばビオチン、ビオチンの類似物、アビジン、ストレプトアビジン、ニュートラアビジンまたはジゴキシゲニンである。
【００８８】
本発明による好ましい間接マーカーは、酵素、好ましくは基質との反応によってルミネッセント化合物を生成する酵素である。
【００８９】
間接マーカーのシグナルの検出は、前記間接マーカーのレポーターの事前添加を必要とする。
【００９０】
酵素のレポーターは、例えば前記酵素の基質である。
【００９１】
ビオチンのレポーターは、酵素または触媒などの、直接マーカーまたは間接マーカーに好ましくはカップリングされている、例えば、アビジン、ストレプトアビジンまたはニュートラアビジンである。
【００９２】
ビオチンのレポーターは、好ましくは酵素または触媒などの直接または間接検出マーカーにカップリングされている。
【００９３】
酵素例は、ペルオキシダーゼ、例えば西洋ワサビペルオキシダーゼ（ＨＲＰもしくはＰＯＤ）、アルカリホスファターゼまたはルシフェラーゼである。
【００９４】
本発明による１つの好ましいビオチンレポーターは、ペルオキシダーゼ、好ましくは西洋ワサビペルオキシダーゼにカップリングされているストレプトアビジンである。次いでビオチンのシグナルの検出は、ペルオキシダーゼとカップリングされているストレプトアビジンの添加、次いでペルオキシダーゼの基質の添加を必要とする。
【００９５】
この好ましい実施形態では、検出リガンドまたは複数の検出リガンドのうちの１つは、ペルオキシダーゼ酵素またはビオチンから選択される直接または間接検出マーカーにカップリングされている。
【００９６】
分析物が核酸である場合、検出マーカーまたは複数の検出マーカーのうちの１つは、例えばフルオロフォア、バイオルミネッセンスでの直接または間接マーキングを使用することによって、好ましくは化学ルミネッセンスによって、例えばルミネッセンス化合物（luminescent compound）での直接マーキングを使用することによってまたは基質との反応によってルミネッセンス化合物を生成する酵素、特にペルオキシダーゼでの間接マーキングによって、蛍光によって検出されてよい。
【００９７】
分析物がタンパク質型の化合物である場合、検出マーカーまたは複数の検出マーカーのうちの１つは、好ましくはルミネッセンスによって、例えばタンパク質型の化合物での直接または間接マーキング、特に化学ルミネッセンス化合物または基質との反応によってルミネッセンス化合物を生成するレポーターとしての酵素での間接マーキングを使用して検出される。
【００９８】
本発明の具体的な一実施形態では、使用される検出マーカーまたは複数の検出マーカーのうちの１つは、基質として、ルミノール、イソルミノール、アクリジン、セレンテラジン、ジオキセタンまたはペルオキシオキサリック（peroxyoxalic）化合物またはそれらの誘導体のうちの１つおよび特に刊行物Dodeigne C. et al (2000), Talanta 51, 415-439, "Chemiluminescence as diagnostic tool. A review"に記載の化合物を有する。
【００９９】
具体的な一実施形態では、使用される検出マーカーまたは複数の検出マーカーのうちの１つは、基質として、ルミノール、ルミノールの類似物、例えばイソルミノールまたはそれらの誘導体のうちの１つを有する。
【０１００】
「ルミノール」は５−アミノ−２，３−ジヒドロ−フタラジン−１，４−ジオンとも称される３−アミノフタルヒドラジドを指す。ルミノールについての化学式（raw formula）はＣ８Ｈ７Ｎ３Ｏ２である。例として、実施例に記載のＥＬＩＳＴＡＲ  ＥＴＡ  Ｃ  Ｕｌｔｒａ  ＥＬＩＳＡ（Ｃｙａｎａｇｅｎ、Ｉｔａｌｙ）基質を使用できる。
【０１０１】
「イソルミノール」は４−アミノフタルヒドラジドを指す。
【０１０２】
ルミノールの誘導体またはルミノールの類似物は、好ましくはすべての可能な改変（複数可）（例えば、化学的および／または酵素的）を通じてルミノールまたはルミノールの類似物からそれぞれ得られた分子である。ルミノールの誘導体またはルミノールの類似物は、例えばペルオキシダーゼ酵素の基質であり、前記ペルオキシダーゼ酵素のルミノールの誘導体またはルミノールの類似物との反応は、化学ルミネッセンス化合物を生成できるようにする。
【０１０３】
イソルミノールの誘導体は、刊行物Dodeigne C. et al (2000), Talanta 51, 415-439, "Chemiluminescence as diagnostic tool. A review"に記載のとおり、例えばアミノエチルイソルミノール（もしくはＡＥＩ）、アミノエチルエチルイソルミノール（もしくはＡＥＥＩ）、アミノブチルイソルミノール（もしくはＡＢＩ）、アミノブチルエチルイソルミノール（もしくはＡＢＥＩ）、アミノペンチルエチルイソルミノール（もしくはＡＰＥＩ）、アミノヘキシルイソルミノール（もしくはＡＨＩ）、アミノヘキシルエチルイソルミノール（もしくはＡＨＥＩ）、アミノオクチルメチルイソルミノール（もしくはＡＯＭＩ）またはアミノオクチルエチルイソルミノール（もしくはＡＯＥＩ）であってよい。
【０１０４】
本発明の具体的な一実施形態では、「ルミノール、ルミノールの類似物（例えばイソルミノール）、アクリジン、セレンテラジン、ジオキセタンもしくはペルオキシオキサリック化合物またはそれらの誘導体のうちの１つ」は、前記ルミノール、アクリジン、セレンテラジン、ジオキセタンもしくはペルオキシオキサリック化合物またはそれらの誘導体のうちの１つを含む組成物（または製剤）の形態で与えられてよい。
【０１０５】
耐性対照マーカー
本発明は、固体支持体の表面に存在するスポット（複数可）の質、特に固体支持体の表面に存在するスポット（複数可）の存在、位置および／または完全性を対照できるようにする１つまたはいくつかの耐性対照マーカー（例えば耐性対照マーカーの混合物）の使用に基づいており、この対照は（またはこれらの対照のうちの１つ）は実行された分析方法の終了時に行われてよい。
【０１０６】
耐性対照マーカーは、例えばシグナルを生成することによって検出され得る化合物である。生成されるシグナルは、例えば放射性シグナルまたは光シグナルであってよい。光吸収によって検出される対照マーカー（例えば有色対照マーカー）も含み得る。
【０１０７】
光の放出に対応する光シグナルは、特に所与の波長範囲内にある。
【０１０８】
耐性対照マーカーは、例えば蛍光、リン光またはルミネッセンス、特にエレクトロルミネッセンス、熱ルミネッセンスもしくは化学ルミネッセンスによるマーカー放出光であってよい。
【０１０９】
耐性対照マーカーまたは複数の耐性対照マーカーのうちの１つは、ルミネッセンスによるマーカー放出光である場合、好ましくは化学ルミネッセンスによって光を放出する。
【０１１０】
好ましい１つの耐性対照マーカーは、蛍光によって光を放出するマーカーである。
【０１１１】
その名前が示すとおり、本発明による耐性対照マーカーは耐性である。
【０１１２】
本明細書における「耐性対照マーカー」は、そのシグナルが分析方法の終了時に検出されるマーカーを指す。耐性対照マーカーは、特に固体支持体の調製方法の際におよび前記支持体を実行する分析方法の際にも、完全にまたは少なくとも部分的に固体支持体の表面のスポットに固定されたままであり、分析方法の終了時に検出可能なシグナルを生成できる対照マーカーである、すなわち分析物の検出リガンドの検出マーカーおよび／または１つもしくはいくつかの間接検出マーカーの場合には１つもしくはいくつかのレポーターの存在を含む。
【０１１３】
表現「分析方法の終了時に検出可能なシグナルを生成できるマーカー」において、「できる」は、前記分析方法が前記スポットの劣化を伴わずに行われる場合に、スポットに存在する耐性対照マーカーが検出可能なシグナルをそのスポットで分析方法の終了時に生成することを意味する。
【０１１４】
表現、分析の終了時に「検出され得る」、「そのシグナルが検出される」、「検出可能なシグナルを生成できる」または「検出可能なシグナルを生成する」は、特に耐性対照マーカーがフルオロフォアである場合、「検出されるシグナル」（耐性対照マーカーによって生成され、対応する画素区域における画像センサーで測定されるシグナル）引く（すなわち、それから減算する）周辺の画素の平均シグナルは、周辺の画素シグナルのレベルをおよそ３標準偏差超えることを意味する。検出されたシグナル引く周辺の画素の平均シグナルが周辺の画素のシグナルのレベルの少なくとも３標準偏差超えに達する場合、前記検出されたシグナルは、「検出可能なシグナル」として認められる。
【０１１５】
本発明の意義の範囲内において対照マーカーは、それにより検出リガンド（複数可）、レポーター（複数可）、基質（複数可）、試料、１つまたはいくつかの希釈剤などの分析方法の際に使用されるさまざまな試薬での洗浄およびインキュベーションステップに耐性である。
【０１１６】
特に、本発明による耐性対照マーカーは、分析物の検出リガンドの検出マーカー（複数可）、該当する場合、分析物の検出リガンドの検出マーカー（複数可）の（第１の）レポーター、該当する場合、前記第１のレポーターにカップリングされている間接マーカーの（第２の）レポーターの使用に耐性である。
【０１１７】
好ましい一実施形態では、本発明による耐性対照マーカーは、１つまたはいくつかの酵素、特に、アルカリホスファターゼおよび／またはペルオキシダーゼ、ならびに前記酵素（複数可）の基質（複数可）の使用に耐性である。
【０１１８】
本発明による１つの好ましい対照マーカーは、ルミノール、イソルミノールまたはそれらの誘導体のうちの１つからなる群から選択される基質の使用に耐性である。
【０１１９】
有利な一実施形態では、本発明による耐性対照マーカーもルミノール、イソルミノールまたはそれらの誘導体のうちの１つからなる群から選択される基質を含む組成物（または製剤）の使用に耐性である。前記組成物は、ルミノール、イソルミノールまたはそれらの誘導体のうちの１つの有効性に寄与する過酸化水素および／または化学的分子（もしくは補因子）を例えば含んでよい。
【０１２０】
本明細書において「化合物の使用に耐性」または「化合物に耐性」は、対照マーカーが分析方法の際の前記化合物の使用に耐性であることを意味する。特に対照マーカーは、前記化合物の存在下に置かれることに耐性である。
【０１２１】
所与の化合物が本発明の意味の範囲内の耐性対照マーカーであるかどうかを決定するために、
ａ）前記化合物を固体支持体の表面に沈着させて、少なくとも１個のスポットを形成させるステップ、
ｂ）好ましくは、固体支持体の表面を飽和させるステップ、
ｃ）好ましくは、固体支持体の表面を乾燥させるステップ、
ｄ）任意選択で、１回または複数回の洗浄ステップを実行するステップ、
ｅ）任意選択で、スポットを検出リガンドの存在下に置くステップ、
ｆ）任意選択で、１回または複数回の洗浄ステップを実行するステップ、
ｇ）任意選択で、スポット（複数可）を少なくとも１つのレポーターまたは少なくとも１つの酵素、例えばレポーターにカップリングされていてもされていなくてもよいペルオキシダーゼ酵素の存在下に置くステップ、
ｈ）任意選択で、１回または複数回の洗浄ステップを実行するステップ、
ｉ）スポット（複数可）を少なくとも１つの基質（前記基質は、好ましくは、前記耐性対照マーカーを実施したい分析方法において使用されるものである）、好ましくはペルオキシダーゼ酵素の基質、例えばルミノールの存在下に置くステップ、
ｊ）前記化合物によってスポット（複数可）で生成されるシグナルを測定するステップ、ならびに
ｋ）ステップｊ）において測定されたシグナルが検出可能なシグナルである場合、前記化合物が耐性対照マーカーであると結論付けるステップ
を含む方法を実行できる。
【０１２２】
「検出可能なシグナル」は、特に上に定義のとおりである。
【０１２３】
ステップｊ）において測定されるシグナルの種類は、検査される化合物に依存する。当業者は、検査される化合物に基づいてどの種類のシグナルが検出されるはずか、どのように検出するかを知っている。
【０１２４】
ステップｅ）における検出リガンドまたは複数の検出リガンドのうちの１つは、ビオチン型の検出マーカーとカップリングされてよく、ステップｇ）におけるレポーターまたは複数のレポーターのうちの１つは、酵素、例えばペルオキシダーゼにカップリングされたストレプトアビジン型のレポーターであってよく、ならびに／あるいはステップｉ）における基質または複数の基質のうちの１つは前記酵素の基質、例えばルミノール、ルミノールの類似物、および／またはルミノールもしくはルミノールの類似物の誘導体であってよい。
【０１２５】
驚くべきことに、本発明者らは、固体支持体の表面に単に沈着させて、スポットを形成するように、目的の化合物、例えば捕捉リガンドと混合された対照マーカーの耐性の性質を示した。それにより本発明の具体的な一実施形態では、本発明による耐性対照マーカーは固体支持体の表面に共有結合によって固定されていない、および／または捕捉リガンドに共有結合によってカップリングされていない。
【０１２６】
最後に、本発明の好ましい一実施形態では、耐性対照マーカーは、分析方法において使用される分析物の検出リガンドの検出マーカーによって生成されるシグナルをほとんど干渉しないまたは好ましくは全く干渉しない。
【０１２７】
「分析物の検出リガンドの検出マーカーによって生成されるシグナル」は、分析物それ自体の検出リガンドの検出マーカー、または検出リガンドの検出マーカーに対応するものによって生成されるシグナルを指す。実際に、例えば酵素または別の種類の間接マーカーの場合、シグナルは分析物それ自体の検出リガンドの検出マーカーによって生成されないが、レポーターまたはレポーター、例えば酵素とその基質との反応によって生成される化合物によって生成され；この場合、このシグナルは分析物の検出リガンドの検出マーカーに対応する。
【０１２８】
表現「分析物の検出リガンドの検出マーカーによって生成されるシグナルにほとんど干渉されない耐性対照マーカー」は、使用者のための分析方法の機能性が耐性マーカーの存在によって影響されないこと、特に感度における減少が４０％未満、好ましくは３５％未満、より好ましくは３０％未満、さらにより好ましくは２５％未満であることを意味する。具体的な一実施形態により、この表現は、さらに特異性の劣化がないことを意味している。
【０１２９】
表現「特異性の劣化がない」は、閾値における増加が４０％以下、好ましくは３５％以下、より好ましくは３０％以下および、より好ましくは２５％以下であることを意味する。
【０１３０】
閾値は、分析方法の終了時に陰性試料について得られたシグナルの平均にこれらの試料のシグナルの標準偏差の１２倍を足したものである。
【０１３１】
耐性対照マーカーは、中性、正または負に荷電していてよい。
【０１３２】
本出願において、「正にまたは負に荷電している分子」は、それぞれ正または負である全体的な荷電、特に全体的は１、２、３、４または４を超える正または負の荷電をそれぞれ含む分子を意味する。
【０１３３】
耐性対照マーカーは、担体分子、例えばＢＳＡなどのタンパク質を含み得るまたはカップリングされ得る。
【０１３４】
耐性対照マーカーが担体分子を「含む」場合、それは一般に対照マーカー（例えばフルオロフォア）および担体分子（例えばＢＳＡ）を含むまたはからなり、前記対照マーカーは前記担体分子にカップリングされる。このカップリングは、カップリング無しでは耐性ではない対照マーカーを耐性にできる。
【０１３５】
対照マーカーまたは耐性対照マーカーと担体分子とのカップリングは、耐性対照マーカーと担体分子との間の共有結合または非共有結合、好ましくは共有結合から生じる。
【０１３６】
対照マーカーまたは耐性対照マーカーに共有結合または非共有結合によってカップリングできる担体分子は、例えばＢＳＡ、免疫グロブリン（Ｉｇとも呼ばれる）、デキストラン、ポリリジンおよび混合共重合体、特に異なるアミノ酸の共重合体（例えばリジンチロシン共重合体）からなる群から選択される。
【０１３７】
対照マーカーまたは耐性対照マーカーに共有結合または非共有結合によってカップリングできる担体分子の別の例は、オリゴヌクレオチドまたはポリヌクレオチド、特にＤＮＡまたはＲＮＡである。
【０１３８】
本発明による耐性対照マーカーは、例えば、下に定義の耐性対照マーカーについての選択方法の終了時に選択されたマーカーであってよい。
【０１３９】
耐性対照フルオロフォア
本発明による１つの好ましい耐性対照マーカーはフルオロフォアである。この場合、耐性対照フルオロフォアと呼ばれる。
【０１４０】
蛍光色素または蛍光分子とも呼ばれるフルオロフォアは、光エネルギーでの励起後に蛍光を放出することができる物質、特に化学的またはタンパク質性物質（もしくはポリペプチド物質）である。
【０１４１】
フルオロフォアは、いくつかのコンジュゲートされた芳香族コアならびに／または１つまたはいくつかのπ結合を有する平面状および環状分子を一般に含む。
【０１４２】
フルオロフォアは蛍光タンパク質、例えばＢ−フィコエリトリンであってよい。
【０１４３】
本発明による耐性対照マーカー、特に耐性対照フルオロフォアは、好ましくは、その励起スペクトルが分析物の検出リガンドの検出マーカーのまたは分析物（分析方法において使用される）の検出リガンドの検出マーカーに対応するものの発光スペクトルに重複せず、その発光スペクトルが分析物の検出リガンドの検出マーカーの発光スペクトルまたは分析物（分析方法において使用される）の検出リガンドの検出マーカーに対応するものの発光スペクトルに重複しない、または部分的に重複することを特徴とする。
【０１４４】
「検出リガンドの検出マーカーに対応する発光スペクトルまたは励起スペクトル」は、例えば直接マーカーもしくは検出リガンドにカップリングされている間接検出マーカーのレポーター、レポーター（特に、検出リガンドの間接検出マーカー）にカップリングされている間接検出マーカーのレポーター、または酵素型レポーターのその基質との反応によって生成された化合物の発光スペクトルまたは励起スペクトルである。
【０１４５】
本発明による耐性フルオロフォアの場合、励起スペクトルは吸収スペクトルに対応してよい。
【０１４６】
本発明による好ましい耐性対照マーカー、特に好ましい耐性対照フルオロフォアは、その励起スペクトルが、ルミノール、その類似物のうちの１つ、特にイソルミノールおよび／またはその誘導体のうちの１つの発光スペクトルと重複せず、その発光スペクトルが、ルミノール、その類似物のうちの１つ、特にイソルミノール、および／またはそれらの誘導体のうちの１つの発光スペクトルと重複しないまたは部分的にだけ重複することを特徴とするフルオロフォアである。
【０１４７】
「ルミノール、その類似物のうちの１つ、特にイソルミノール、および／またはそれらの誘導体のうちの１つの発光スペクトル」は、ルミノール、それらの類似物のうちの１つ、特にイソルミノールまたはそれらの誘導体のうちの１つとペルオキシダーゼ酵素との反応から生じる化学ルミネッセンス化合物の発光スペクトルを指す。
【０１４８】
好ましくは本発明による耐性対照マーカー、特に耐性対照フルオロフォアは、その励起スペクトルがルミノール、イソルミノールまたはそれらの誘導体のうちの１つの発光スペクトルに重複しないことを特徴とする。
【０１４９】
本発明による耐性対照マーカーの、特に耐性対照フルオロフォアの発光スペクトルが、１つもしくはいくつかの検出リガンドの検出マーカーの、または１つもしくはいくつかの検出リガンドの検出マーカーに対応するものの発光スペクトルに部分的に重複する場合、フルオロフォアによって放出される特異的シグナルだけを保持するために前記検出マーカーによって放出される波長を除外できるようにするフィルターおよび／または前記検出マーカーによって放出される特異的シグナルだけを保持するために前記フルオロフォアによって放出される波長を除外できるようにするフィルターを使用することは有利である。
【０１５０】
好ましい一実施形態では、
−  本発明による耐性対照マーカー（複数可）、特に耐性対照フルオロフォア（複数可）と
−  検出リガンドの検出マーカー（複数可）および／または分析方法において使用される検出リガンドの検出マーカー（複数可）に対応するシグナルを生成する化合物（複数可）との間
特に本発明による耐性対照マーカー（複数可）（特に耐性対照フルオロフォア（複数可））と、ルミノール、その類似物のうちの１つ、例えばイソルミノール、および／またはそれらの誘導体のうちの１つとペルオキシダーゼ酵素との反応によって得られるルミネッセンス化合物との間
に共鳴によるエネルギー移動はない。
【０１５１】
有利な一実施形態では、本発明による耐性対照マーカー（複数可）、特に耐性対照フルオロフォア（複数可）は、ルミノール、その類似物のうちの１つ、例えばイソルミノール、および／またはそれらの誘導体のうちの１つの発光波長範囲より厳密に広い、またはルミノール、その類似物のうちの１つ、例えばイソルミノール、および／またはそれらの誘導体のうちの１つの発光波長範囲より厳密に狭い励起波長範囲および発光波長範囲を有する。
【０１５２】
一例として、ルミノールが基質として使用される場合、本発明による耐性対照マーカー、特に、本発明による好ましい耐性対照フルオロフォアは、４２５ｎｍ付近、特に３７５ｎｍから５５０ｎｍまで、好ましくは３７５ｎｍから５８０ｎｍまで、より好ましくは３５０ｎｍから５８０ｎｍまでの光を発しない。言い換えると、ルミノールが基質として使用される場合、本発明による好ましい耐性対照フルオロフォアは、波長３７５ｎｍから５５０ｎｍまで、３７５ｎｍから５８０ｎｍまで、または３５０ｎｍから５８０ｎｍまで以外の光を放出する。それは、例えば３７５ｎｍ、３７０ｎｍ、３６０ｎｍもしくは３５０ｎｍ未満（もしくは以下）の波長だけ、または５５０ｎｍ、５６０ｎｍ、５７０ｎｍ、５８０ｎｍ、５９０ｎｍもしくは６００ｎｍを超える（もしくは以上）波長だけの光を放出することができる。
【０１５３】
表現「値Ｘから値Ｙ」は、ＸおよびＹの境界が含まれることを意味する。
【０１５４】
具体的な一実施形態では、驚くべきことに、ルミノール、ルミノールの類似物および／またはそれらの誘導体のうちの１つを含有する反応媒体の塩基性ｐＨ、過酸化物の存在、電子移動を支持する（favor）１つまたはいくつかの薬剤および反応媒体中のアシル化触媒は、受け入れる（receive）本発明による対照マーカーによって、特に、本発明による耐性対照フルオロフォアによって放出されるシグナルの検出における課題の原因のスペクトルシフトを生じない。
【０１５５】
本発明の一実施形態により、本発明による耐性対照マーカー、特に本発明による耐性対照フルオロフォアは、検出リガンドの検出マーカーによって放出されるシグナルに対応する波長範囲を含まない、特にルミノールの発光波長範囲を含まない吸収ウィンドウ（absorption window）を有する。例えば、本発明による好ましい１つの耐性対照フルオロフォアは、波長３７５から５３０ｎｍまで、３７５から５５０ｎｍまで、または３５０から５８０ｎｍまで（両端を含む）を吸収しない。したがって、例えば３７５、３７０、３６０もしくは３５０ｎｍ未満（もしくは以下）の波長だけを吸収するフルオロフォアまたは５３０、５４０、５５０、５６０、５７０、５８０、５９０もしくは６００ｎｍを超える（もしくは以上）波長だけを吸収するフルオロフォアを使用できる。
【０１５６】
具体的な一実施形態により、耐性対照マーカーは、中性フルオロフォア、正に荷電したフルオロフォアまたは負に荷電したフルオロフォアまたは蛍光タンパク質であってよく、前記フルオロフォアは任意選択で担体分子、例えばＢＳＡなどのタンパク質にカップリングされる。
【０１５７】
好ましい一実施形態では、耐性対照フルオロフォアは、少なくとも１つの正に荷電した官能基、特に少なくとも１つのアミン官能基を含む。
【０１５８】
具体的な一実施形態により、耐性対照マーカーは、少なくとも１つのフルオロフォアおよび少なくとも１つの担体分子（例えば、ＢＳＡ）を含むまたはからなり、前記少なくとも１つのフルオロフォアは前記少なくとも１つの担体分子にカップリングされており、前記少なくとも１つのフルオロフォアは、例えば中性、正に荷電したもしくは負に荷電したフルオロフォアまたは蛍光タンパク質であってよい。
【０１５９】
担体分子は、特に、段落「分析物」において上に定義のとおりである。
【０１６０】
耐性対照フルオロフォアは、例えばクマリン、ローダミン、カルボピロニン（carbopyronine）、オキサジン、ベンゾピリリウム、フィコエリトリンおよびそれらの誘導体からなる群から選択される。前記フルオロフォアは、任意選択で担体分子、例えばＢＳＡなどのタンパク質にカップリングされる。
【０１６１】
耐性対照フルオロフォアは、例えばクマリン、ローダミン、カルボピロニン、オキサジン、ベンゾピリリウム誘導体、それらの誘導体およびフィコエリトリンからなる群から選択される。耐性対照フルオロフォアは、例えば特許出願国際公開第００／６４９８６号パンフレットに記載され、および／またはＡｔｔｏ−Ｔｅｃ社によって市販されている化合物の中から選ばれる。
【０１６２】
好ましい１つの耐性対照フルオロフォアは、例えばカルボピロニン、オキサジン、オキサジン誘導体、ベンゾピリリウム誘導体およびフィコエリトリンからなる群から選択される。
【０１６３】
別の好ましい耐性対照フルオロフォアは、カルボピロニン誘導体、オキサジン、オキサジン誘導体、ベンゾピリリウム誘導体およびフィコエリトリンからなる群から選択される。
【０１６４】
さらにより好ましい１つの耐性対照フルオロフォアは、例えば、カルボピロニン、ベンゾピリリウム誘導体およびフィコエリトリンからなる群から選択される。
【０１６５】
別のさらにより好ましい耐性対照フルオロフォアは、例えばカルボピロニン誘導体、ベンゾピリリウム誘導体、およびフィコエリトリンからなる群から選択される。
【０１６６】
一例は、Ａｔｔｏ−Ｔｅｃ社によって市販されているＡｔｔｏ６３３カルボピロニンおよびその誘導体、特にアミン誘導体、ならびにＤｙｏｍｉｃｓ社によって市販されているものなどのベンゾピリリウムの誘導体、特にそれらが担体分子、例えばＢＳＡにカップリングされている場合、Ｄｙｅ６３４またはＤｙｅ６３０、または担体、例えばＢＳＡにカップリングされているもしくはされていないＤｙｅ６３４もしくはＤｙｅ６３０のアミン誘導体を含む。
【０１６７】
本発明による好ましい１つのカルボピロニンは、次の塩基構造：
【０１６８】
【化１】
2017510811.tif 000002
を含む分子である。
【０１６９】
Ａｔｔｏ６３３由来のアミン誘導体などの、耐性対照フルオロフォアとして使用され得るカルボピロニンは、例えば次の特徴：吸収極大波長＝６２９ｎｍ、吸収極大波長でのモル吸収係数＝１．３ｘ１０５Ｍ−１ｃｍ−１、最大発光波長＝６５７ｎｍおよび量子効率＝６４％を有する。
【０１７０】
耐性対照フルオロフォアとして使用され得るベンゾピリリウム誘導体は、例えば次の特徴：
−  吸収極大波長（エタノール中）：６３５ｎｍ、
−  最大発光波長（エタノール中）：６５８ｎｍ、および
−  吸収極大波長でのモル吸収係数：２００，０００Ｍ−１ｃｍ−１
を有する。
【０１７１】
これは、例えば化学式：
【０１７２】
【化２】
2017510811.tif 000003
を有するＤｙｅ６３４（担体分子、例えばＢＳＡにカップリングされた形態において）と呼ばれるフルオロフォアを含む。
【０１７３】
Ｄｙｅ６３４は、そのアミン形態（Ｄｙｅ６３４−アミン）で耐性対照フルオロフォアとしても使用され得る。それは、担体分子、特にＢＳＡにカップリングされてまたはカップリングされずに使用され得る。
【０１７４】
耐性対照フルオロフォアとして使用され得るさらに別のベンゾピリリウム誘導体は、例えば次の特徴：
−  吸収極大波長（エタノール中）：６３６ｎｍ、
−  最大発光波長（エタノール中）：６５７ｎｍ、および
−  吸収極大波長でのモル吸収係数：２００，０００Ｍ−１ｃｍ−１
を有する。
【０１７５】
これは、例えばＤｙｅ６３０（担体分子、例えばＢＳＡにカップリングされた形態で）を含む。
【０１７６】
Ｄｙｅ６３０は次の化学式：
【０１７７】
【化３】
2017510811.tif 000004
を有する。
【０１７８】
Ｄｙｅ６３０は、そのアミン形態（Ｄｙｅ６３０−アミン）でも、担体分子、例えばＢＳＡにカップリングされてまたはカップリングされずに使用され得る。
【０１７９】
耐性対照マーカーとしての酵素
本発明による耐性対照マーカーの別の例は、酵素の基質との反応によってルミネッセンス化合物を生成する前記酵素である。
【０１８０】
好ましくは、ルミネッセンス化合物は化学ルミネッセンス化合物である。
【０１８１】
本発明による耐性対照マーカーとして使用され得る酵素は、例えばアルカリホスファターゼまたはルシフェラーゼである。
【０１８２】
アルカリホスファターゼ基質は、例えばＬｕｍｉｇｅｎによってさらに市販されているＬｕｍｉ−Ｐｈｏｓ５３０またはＬｕｍｉ−Ｐｈｏｓ基質である。
【０１８３】
ルシフェラーゼ基質は、例えばルシフェリンまたはセレンテラジン基質である。
【０１８４】
耐性対照マーカーがルミネッセンス化合物を生成する酵素である場合、耐性対照マーカーに対応する検出されるシグナルは前記酵素と前記酵素の基質との反応によって生成されるルミネッセンス化合物によって放出されるシグナルである。
【０１８５】
シグナルの検出
検出リガンドの検出マーカー（複数可）によって生成されるまたは耐性対照マーカー（複数可）によって生成されるシグナルは、直接的または間接的に検出される。
【０１８６】
使用されるマーカーに応じて、シグナルは、例えば蛍光またはルミネッセンス、特に化学ルミネッセンスによって検出され得る。
【０１８７】
フルオロフォア型のマーカーによって放出されるシグナルは、蛍光によって直接的に読み取られ得る。
【０１８８】
酵素型のマーカーは、検出可能な生成物を生成できるようにする基質の添加、例えば光の生成を可能にする基質の添加を必要とする。
【０１８９】
エレクトロルミネッセンスによって光を放出する耐性対照マーカーは、ルテニウム複合体の添加およびトリプロピルアミン（ＴＰＡ）の添加、ならびに光生成を可能にする電流の適用を必要とする。
【０１９０】
上に示すとおり、ビオチン型の間接マーカーは、レポーター、好ましくは直接または間接検出マーカーにカップリングされているレポーターの添加を必要とする。
【０１９１】
レポーターが、酵素型、例えばペルオキシダーゼの間接マーカーにカップリングされている場合、後のステップにおいて、その酵素の基質、例えばルミノールまたは、イソルミノールもしくはルミノールの誘導体もしくはルミノールの類似物などのルミノールの類似物を添加する必要がある。
【０１９２】
シグナルは、下に記載のとおり、本発明によるデバイスを使用して有利には検出され得る。
【０１９３】
別の好ましい実施形態では、耐性対照マーカー（複数可）によって放出されるシグナルは蛍光によって検出され、検出リガンドの検出マーカー（複数可）によって放出されるシグナルはルミネッセンスによって、例えば化学ルミネッセンスによって放出される。
【０１９４】
一般に、化学ルミネッセンス反応は、少なくとも２種の溶液を含むキットを使用して行われる。
【０１９５】
第１の溶液は、ペルオキシダーゼに対する基質、例えばルミノール、イソルミノールおよび／またはルミノールもしくはイソルミノールの誘導体、ならびに電子メディエーターを含み；第２の溶液は酸化剤を含む。例として、次のキット：「Ｉｍｍｕｎ−ｓｔａｒ  ｗｅｓｔｅｒｎ  Ｃ」（Ｂｉｏ−Ｒａｄ、合衆国）、「ＥＬＩＳＴＡＲ  ＥＴＡ  Ｃ  Ｕｌｔｒａ  ＥＬＩＳＡ」（Ｃｙａｎａｇｅｎ、イタリア）、「Ｓｕｐｅｒｓｉｇｎａｌ  Ｗｅｓｔ  Ｐｉｃｏ」（Ｔｈｅｒｍｏ  Ｓｃｉｅｎｔｉｆｉｃ、合衆国）、「Ｃｈｅｍｉｌｕｍｉｎｅｓｃｅｎｔ  Ｓｅｎｓｉｔｉｖｅ  Ｐｌｕｓ  ＨＲＰ」（Ｓｕｒｍｏｄｉｃｓ、合衆国）を使用できる。
【０１９６】
試料中の少なくとも１つの分析物の検出を改善するための固体支持体
本発明による分析方法を実行するために使用される支持体（複数可）は、固体支持体である。
【０１９７】
具体的な一実施形態により、固体支持体は、本発明による固体支持体を調製するための方法を使用して得られる。
【０１９８】
固体支持体は、分析方法を実行するために好適な任意の材料から作られてよい。固体支持体は、例えばポリマーまたはポリマーの混合物の基部を有する支持体である。
【０１９９】
好適な固体支持体は、例えばポリスチレン、ポリプロピレン、ポリ（メタ）アクリレート、ポリブタジエンまたはこれらの組合せから作られた支持体である。
【０２００】
好適な固体支持体の別の例は、膜、例えばニトロセルロース、ＰＶＤＦ（ポリビニリデンフルオリド）、ナイロンまたはこれらの組合せから作られた膜である。
【０２０１】
好適な固体支持体のさらに別の例は、無機支持体、例えばガラススライドおよび／または金属支持体である。
【０２０２】
好ましい１つの固体支持体は、ポリスチレンまたはポリプロピレンから作られている。
【０２０３】
固体支持体は、少なくとも１つのコンパートメント（分析区域とも呼ばれる）、好ましくは少なくとも２つのコンパートメントを含む。
【０２０４】
本発明の具体的な一実施形態により、固体支持体は単一のコンパートメントを含む。前記単一のコンパートメントは、１つまたはいくつかの壁を含むコンパートメントであってよい。代替的に、前記単一のコンパートメントは壁を有さなくてよく、固体支持体それ自体に相当するものであってよい。それによりコンパートメントの底は、固体支持体の上面から構成されてよい。１つまたはいくつかの壁を含んでも含まなくてもよい単一のコンパートメントを含むそのような固体支持体の一例は、スライドまたは膜である。
【０２０５】
本発明の具体的な一実施形態により、例えばマイクロプレートまたは膜であってよい固体支持体は、少なくとも２つのコンパートメントを含む。
【０２０６】
固体支持体が少なくとも２つのコンパートメントを含む場合、それらは互いに通じ合わないように、すなわち、分析のために使用される種々の組成物または溶液が分析の際に１つのコンパートメントから別のものに循環できないように互いに分けられている。それにより１つのコンパートメントに添加された溶液は、他のコンパートメントに入らない。例えばコンパートメント（複数可）は、底および１つまたはいくつかの壁を含むまたはそれからできており、前記壁（複数可）は、コンパートメント（複数可）をそれらが互いに通じ合わないように互いに単離させている。
【０２０７】
典型的には、固体支持体の少なくとも１つ（例えば１つまたは２つ）のコンパートメントが分析される試料１つあたりに使用される。
【０２０８】
本発明の具体的な一実施形態では、固体支持体（例えばスライドまたは膜）が単一のコンパートメントを含む場合、典型的には少なくとも１つ（例えば１つまたは２つ）の固体支持体が分析される試料１つあたりに使用される。
【０２０９】
固体支持体は、例えばマイクロプレートである。この場合、コンパートメントの一例はウエルである。
【０２１０】
マイクロプレートは、典型的には９６ウエルまたは３８４ウエルを有するマイクロプレートである。
【０２１１】
本発明は、少なくとも１つの試料中の少なくとも１つの分析物を検出するための固体支持体であって、前記固体支持体が、少なくとも１個のスポットを含む少なくとも１つのコンパートメントを含み、前記スポットが、少なくとも１つの耐性対照マーカーおよび少なくとも１つの捕捉リガンドを含むことを特徴とする固体支持体に関する。
【０２１２】
耐性対照マーカーは特に、上に特に段落「耐性対照マーカー」、「耐性対照フルオロフォア」および「耐性対照マーカーとしての酵素」に定義のとおりであり、または下の段落「耐性対照マーカーの選択方法」に定義の選択方法を使用して得られるとおりである。
【０２１３】
特に、前記耐性対照マーカー（複数可）は、検出方法の終了時に検出可能なシグナルを生成するように、少なくとも１つの分析物を検出するための方法の実行の際に固体支持体の表面の前記スポットに少なくとも部分的に固定されたままであるマーカーである。
【０２１４】
試料を分析することを目的とする固体支持体のコンパートメントは、少なくとも１個のスポット、例えば２個のスポット、３個のスポット、４個のスポットまたは５個のスポットまたは少なくとも６個のスポット、好ましくは６個のスポット、７個のスポット、８個のスポット、より好ましくは少なくとも９個のスポット、例えば９個のスポット、１０個のスポット、１１個のスポット、１２個のスポット、１３個のスポット、１４個のスポット、１５個のスポット、１６個のスポットまたは１６個より多いスポットを含む。
【０２１５】
本明細書で「スポット」は、少なくとも１つの耐性対照マーカーおよび／または少なくとも１つの目的の化合物、好ましくは少なくとも１つの耐性対照マーカーならびに目的の少なくとも１つの化合物、例えば捕捉リガンドを含む固体支持体のコンパートメントの表面の区域を指す。それにより耐性対照マーカー（複数可）および目的の化合物（複数可）は、コンパートメントの表面の前記区域に同時に、非共有結合物理化学的相互作用（特に弱い結合の種類、例えば、イオン性、ファンデルワールス、水素および／もしくは疎水性）を通じてならびに／または共有結合によって固定する。
【０２１６】
スポットは、目的の化合物（複数可）とは別に少なくとも１つのポリマー、特に親水性基、例えば少なくとも１つのハイドロゲルを含む少なくとも１つのポリマーを含んでよい。
【０２１７】
具体的な一実施形態では、コンパートメントのすべてのスポット、好ましくは固体支持体のすべてのスポットは、すべてのスポットにおいて同じ濃度でまたは異なる濃度で使用されてよい単一の耐性対照マーカーまたは耐性対照マーカーの単一の混合物を含む。
【０２１８】
代替的に、異なる（少なくとも２つの）耐性対照マーカーおよび／または異なる（少なくとも２つの）耐性対照マーカーの混合物は、固体支持体の同じコンパートメントのスポットにおいて使用されてよい。
【０２１９】
本発明は特に、少なくとも１つの試料中の少なくとも１つの分析物を検出するための固体支持体であって、前記固体支持体が、少なくとも１個のスポットを含む少なくとも１つのコンパートメントを含み、前記スポットが、単一の耐性対照マーカーおよび少なくとも１つの捕捉リガンドを含むことを特徴とする固体支持体に関する。
【０２２０】
好ましくは、分析物を検出することを目的とするすべてのスポット、特に捕捉リガンドを含むすべてのスポットは、耐性対照マーカーを１つだけ含み、それは同じコンパートメントの分析物を検出することを目的とするすべてのスポットにおいて好ましくは同じであり、より好ましくは、それは固体支持体のすべてのコンパートメントの分析物を検出することを目的とするすべてのスポットにおいて同じである。
【０２２１】
スポットは、明確に定義された区域、例えば０．００７８ｍｍ２から５．３０９ｍｍ２の間、好ましくは０．１９６ｍｍ２から３．１４２ｍｍ２に含まれるもの、より好ましくは０．５０３ｍｍ２から２．０１１ｍｍ２に含まれるものに対応する。
【０２２２】
スポットは、特に固体支持体がマイクロプレートまたはスライドである場合、円板状、円柱状もしくは半球状形、または近似的に円板状、円柱状もしくは半球状形、例えば卵円であってよい。
【０２２３】
代替的に、スポットは、四角もしくは長方形（特に条片）例えば固体支持体が膜である場合、または任意の他の形状であってよい。
【０２２４】
スポットは、米国特許第７，４７０，５４７Ｂ２号明細書、同第６，５７６，２９５Ｂ２号明細書、同第５，９１６，５２４Ａ号明細書および同第５，７４３，９６０Ａ号明細書において記載のものなどの当業者に周知の技術を使用して得られる。
【０２２５】
例えば、スポットは、決定された量の少なくとも１つの耐性対照マーカーおよび少なくとも１つの目的の化合物を含有する溶液の少なくとも１滴を固体支持体のコンパートメントの表面の特異的位置に沈着することによって得られる。
【０２２６】
スポットが少なくとも１つのポリマー（例えば少なくとも１つのハイドロゲル）を含む場合、前記スポットは、決定された量の少なくとも１つの耐性対照マーカーおよび少なくとも１つの目的の化合物を含有する溶液の少なくとも１滴を前記ポリマーが予め沈着されているコンパートメントの表面の特異的位置に沈着することによって得られてよい。
【０２２７】
コンパートメントの表面は「固相」とも呼ばれる。
【０２２８】
目的の化合物は、一般に捕捉リガンド、特に分析物の捕捉リガンドである。コンパートメントの１つまたはいくつかのスポットは、対照スポットとしての役割を果たすことができ、それにより試料の分析物を検出することを目的としない捕捉リガンドを含む、または目的の別の化合物を含む、または目的のいかなる化合物も含まない。
【０２２９】
本発明は特に、試料中の少なくとも１つの分析物を検出するための固体支持体であって、前記固体支持体が、少なくとも１個のスポットを含む少なくとも２つのコンパートメントを含み、前記スポットが、少なくとも１つの耐性対照マーカーおよび少なくとも１つの捕捉リガンドを含むことを特徴とする固体支持体に関する。
【０２３０】
具体的な一実施形態では、固体支持体のいくつかまたはすべてのコンパートメントは、同じスポット組成物を有する。
【０２３１】
別の具体的な実施形態では、固体支持体または固体支持体のコンパートメントのいくつかまたはすべては、スポットまたはコンパートメントのいくつか（例えば２つ）の別の群（または種類）を含むまたはからなっており、別々の群それぞれは異なるスポット組成物を有する（各群のスポットに存在しているスポットおよび／または耐性対照マーカー（複数可）および／または捕捉リガンド（複数可）および／または目的の化合物（複数可）の数による）。
【０２３２】
耐性対照マーカーを含む分析支持体の調製
本発明は、少なくとも１つの試料中の少なくとも１つの分析物を検出するための固体支持体を調製する方法であって、
ａ）固体支持体の少なくとも１つのコンパートメント、好ましくは少なくとも２つのコンパートメントの表面に、少なくとも１つの耐性対照マーカーおよび少なくとも１つの捕捉リガンドを含む混合物を沈着させて、スポットを得るステップ、
ｂ）ステップａ）をｎ−１回（ｎは１以上の整数である）繰り返して、前記コンパートメント（複数可）の表面の分析物を検出する目的でｎ個のスポットを得るステップ、
ｃ）任意選択で、前記コンパートメント（複数可）の表面を飽和させるステップ、ならびに
ｄ）任意選択で、前記コンパートメント（複数可）の表面を乾燥させるステップ
を含む方法にも関する。
【０２３３】
固体支持体、耐性対照マーカー（複数可）および捕捉リガンド（複数可）は、特に上に定義のとおりである。
【０２３４】
ステップａ）では、少なくとも１つの耐性対照マーカーおよび少なくとも１つの捕捉リガンドを含む混合物を、固体支持体の少なくとも１つのコンパートメント、好ましくは固体支持体の少なくとも２つのコンパートメントの表面に沈着させて、スポットを得る。
【０２３５】
ステップａ）では、前記耐性対照マーカー（複数可）は、検出方法の終了時に検出可能なシグナルを生成するように、少なくとも１つの分析物を検出するための方法の実行の際に固体支持体の表面の前記スポットに少なくとも部分的に固定されたままであるマーカーである。
【０２３６】
耐性対照マーカーは、特に本出願に定義のとおりである。
【０２３７】
前記耐性対照マーカー（複数可）は、好ましくはフルオロフォア、例えばフルオロフォアの混合物である。フルオロフォア（複数可）は、蛍光化学的分子または蛍光タンパク質であってよい。
【０２３８】
前記捕捉リガンド（複数可）は、好ましくは抗体、抗原、核酸およびそれらの組合せからなる群から選択される。
【０２３９】
別の好ましい実施形態では、前記捕捉リガンド（複数可）は核酸ではない。
【０２４０】
例えば、前記捕捉リガンド（複数可）は、抗体および抗原からなる群から選択される。
【０２４１】
混合物は、好ましくは溶液である。
【０２４２】
耐性対照マーカーは、コンパートメントの表面への捕捉リガンド（複数可）の固定を干渉せず、分析方法の終了時に前記耐性対照マーカーによって生成されるシグナルの検出を可能にする濃度で混合物中に存在する。
【０２４３】
例として、混合物は、０．１から１００μｇ／ｍｌの捕捉リガンドおよび０．０１から１００μｇ／ｍｌの対照マーカーを、好ましくは緩衝溶液、例えばＴＢＳ（Ｔｒｉｓ緩衝生理食塩水）溶液中に含む。
【０２４４】
混合物中の耐性対照マーカーの濃度は、
−  少なくとも２種の溶液を固体支持体の表面に沈着させるステップであって、各溶液が前記耐性対照マーカーおよび捕捉リガンドを含み、耐性対照マーカーの濃度が一方の溶液から他方に増加し、耐性対照マーカーの最低濃度が予め決定した最少濃度以上であるステップ、
−  任意選択で、固体支持体の表面を飽和させるステップ、すなわち固体支持体への非特異的結合を回避できるようにする薬剤の存在下に固体支持体の表面を置くステップ、
−  任意選択で、固体支持体の表面を乾燥させるステップ、
−  スポットの存在下に特異的捕捉リガンドを有する分析物を含む試料を置くステップ、
−  スポットの存在下に前記分析物の特異的検出リガンドを置くステップであって、前記検出リガンドが直接または間接検出マーカーにカップリングされている、ステップ、
−  前記検出リガンドが間接検出マーカーにカップリングされている場合、前記間接検出マーカーのレポーター（第１のレポーターとも呼ばれる）を添加するステップ、および前記（第１の）レポーターが間接検出マーカーにカップリングされている場合、検出リガンドの間接検出方法の前記（第１の）のレポーターにカップリングされている間接検出マーカーの第２のレポーターを添加するステップ、
−  耐性対照マーカーによって生成されるシグナルを検出するステップ、
−  検出リガンドの検出マーカーによって生成されるシグナルを検出するステップ、ならびに
−  耐性対照マーカーによって生成されるシグナルおよび検出リガンドの検出マーカーによって生成されるシグナルの両方を検出できるようにする耐性対照マーカーの濃度を選択するステップ、
を含む方法を使用して例えば決定され得る。
【０２４５】
耐性対照マーカーの濃度は、好ましくは耐性対照マーカーによって生成されるシグナルおよび検出リガンドの検出マーカーによって生成されるシグナルの両方を、検出できるようにし、耐性対照マーカーを含まないスポットと比較して、感度の顕著な消失を伴わない、すなわち使用者のための分析方法の機能が、耐性マーカーの存在によって影響を受けない、特に感度における減少は４０％未満、好ましくは３５％未満、より好ましくは３０％未満、さらにより好ましくは２５％未満である。
【０２４６】
具体的な一実施形態により、耐性対照マーカーの濃度は、耐性対照マーカーによって生成されるシグナルおよび検出リガンドの検出マーカーによって生成されるシグナルの両方を特異性の劣化を伴わずに検出できるようにする。
【０２４７】
表現「特異性の劣化がない」は、閾値における増加が４０％以下、好ましくは３５％以下、より好ましくは３０％以下およびさらにより好ましくは２５％以下であることを意味する。
【０２４８】
閾値は、分析方法の終了時に陰性試料から得られたシグナルの平均にこれらの試料のシグナルの標準偏差の１２倍を足したものである。
【０２４９】
検出リガンドが間接検出マーカーにカップリングされる場合、前記間接検出マーカーのレポーターは添加される。前記レポーター（第１のレポーターと呼ばれる）自体が間接検出マーカー、例えば酵素にカップリングされる場合、前記第１のレポーターにカップリングされた間接検出マーカー、第２のレポーター、例えば基質が添加される。
【０２５０】
耐性対照マーカーの予め決定した最少濃度は、次の方法：
−  少なくとも２種の溶液を固体支持体の表面に沈着させるステップであって、各溶液が耐性対照マーカーを含み、捕捉リガンドを含まず、耐性対照マーカーの濃度が少なくとも２個のスポットを形成するために一方の溶液から他方に増加しているステップ、
−  任意選択で、固体支持体の表面を飽和させるステップ、すなわち固体支持体への非特異的結合を回避できるようにする薬剤の存在下に固体支持体の表面を置くステップ、
−  任意選択で、固体支持体の表面を乾燥させるステップ、
−  任意選択で、
（ｉ）１回または複数回の洗浄ステップを実行するステップ、
（ｉｉ）スポット（複数可）を検出リガンドの存在下に置くステップ、
（ｉｉｉ）スポット（複数可）をレポーターの存在下に置くステップ、
（ｉｖ）スポット（複数可）を基質の存在下に置くステップ、
うちの少なくとも１つを実行するステップ
−  耐性対照マーカーによって生成されるシグナルを検出するステップ、ならびに
−  シグナルを検出できるようにする耐性対照マーカーの最少濃度を選択するステップ
を使用して例えば決定され得る。
【０２５１】
混合物（または溶液）は、固体支持体または固体支持体のコンパートメントの表面に手作業で沈着されてよいが、好ましくは好適なデバイスによって自動的に行われる。
【０２５２】
したがって既に示したとおり、耐性対照マーカーは、混合物（または溶液）中に存在する捕捉リガンド（複数可）と同時に分析支持体の固相に固定される。
【０２５３】
本発明の具体的な一実施形態では、少なくとも１つの分析物を検出することを目的とする固体支持体のコンパートメントの各スポットは、少なくとも１つの異なる、好ましくはスポットによって分析物を検出することを目的とする捕捉リガンドを含む。しかしコンパートメントのいくつかのスポットは、少なくとも１つの同じ捕捉リガンドを含んでよい。
【０２５４】
本発明の具体的な一実施形態では、同じスポットはいくつかの異なる捕捉リガンド（例えばいくつかの抗体および／または抗原）を含んでよく、一般にそれらは検出される同じ病態、感染もしくは疾患（特に同じウイルス、同じ細菌、同じ真菌もしくは同じ寄生生物に特異的）、感染もしくは疾患の進展、対象の状態（病理学的もしくは非病理学的）、状態（病理学的もしくは非病理学的）を発症する危険性または処置への抵抗性のマーカーに特異的である。
【０２５５】
コンパートメントのいくつかのスポットまたはすべてのスポットは、同じ分析物を検出することを目的とする捕捉リガンドを含んでよく；これは例えば同じ分析物の異なる特異的捕捉リガンドまたはさらにスポット中に異なる濃度で存在する同じ捕捉リガンドを含む。
【０２５６】
具体的な一実施形態では、耐性対照マーカーまたは耐性対照マーカーの混合物は、すべてのスポットにおいて同じであり、各スポットに同じ濃度で添加されてもされなくてもよい。
【０２５７】
代替的に、異なる耐性対照マーカー（少なくとも２つ）および／または耐性対照マーカーの異なる混合物がコンパートメントの異なるスポットに使用されてよい。
【０２５８】
コンパートメントは、耐性対照マーカーを含まない１個またはいくつかのスポットも含んでよい。しかし好ましくは前記コンパートメントのすべてのスポットは耐性対照マーカーを含む。
【０２５９】
コンパートメントは、捕捉リガンドを含まない１個またはいくつかのスポットも含んでよいが、好ましくは別の目的の化合物を含む。
【０２６０】
コンパートメントが捕捉リガンドを含まない１個またはいくつかのスポットも含む場合、スポット（複数可）は好ましくは耐性対照マーカーを含む。
【０２６１】
本発明の具体的な一実施形態では、支持体のすべてのコンパートメントは同じスポット組成物を有する。
【０２６２】
本発明の別の具体的な実施形態では、固体支持体のいくつかまたはすべてのコンパートメントは、コンパートメントのいくつか（例えば２つ）の別の群を含むまたはからなり、別々の群それぞれは異なるスポット組成物を有する。
【０２６３】
ステップａ）およびｂ）は、固体支持体のいくつかまたはすべてのコンパートメントにおいて、好ましくは固体支持体のすべてのコンパートメントにおいて実行される。
【０２６４】
固体支持体の少なくとも１つのコンパートメントの表面に沈着させた混合物は、例えば４℃から４０℃を含む温度で、数秒間から数時間インキュベートされる。
【０２６５】
方法は、固体支持体の前記コンパートメント（複数可）の表面を飽和させるために潜在的ステップｃ）を含む、すなわち固体支持体への非特異的結合を回避できるようにする薬剤の存在下に固体支持体の表面を置くことを検査するステップ。飽和ステップは、特に分析方法の実行の際に化合物の非特異的固定を妨げることを目的とする。
【０２６６】
固体支持体への非特異的結合を回避できるようにする薬剤は、例えば当業者に周知の飽和溶液である。
【０２６７】
潜在的ステップｄ）では、コンパートメント（複数可）の表面は乾燥される。
【０２６８】
乾燥は、例えば５６℃または３７℃または環境温度で行われる。
【０２６９】
具体的な一実施形態では、ステップａ）、ステップｂ）および／またはステップｃ）には、１回または数回の洗浄ステップが続く。
【０２７０】
本発明は、スポットの質をチェックすることからなる、続くステップｅ）を含む上に定義の固体支持体を調製するための方法にも関する。
【０２７１】
スポットの質のチェックが陽性である場合、前記スポットは分析方法の一部として使用され得る。
【０２７２】
スポットの質のチェックが陰性である場合、前記スポットは分析方法および潜在的に前記スポットを含有するコンパートメントの一部として使用できない。
【０２７３】
本発明は、本発明によるまたは本発明による調製方法を使用して得られた少なくとも１つの固体支持体、ならびに該当する場合、本発明および／または使用者説明書による分析方法を実行するために使用される少なくとも１つの組成物または溶液を含むまたはからなることを特徴とするキットにも関する。
【０２７４】
検出の改善のためのデバイス（または二重検出のためのデバイス）
本発明は、試料中の少なくとも１つの分析物を検出するためのデバイスであって、
−  固体支持体で生成される第１のシグナルおよび第２のシグナルを検出するための手段、ならびに
−  前記第１のシグナルの位置からリーディンググリッドを定義するため、および前記第２のシグナルを前記リーディンググリッドで読み取るための手段
を含むデバイスを提供することも目的とする。
【０２７５】
具体的な一実施形態により、この読み取りは、目的の領域での第２のシグナルの定量に対応する。
【０２７６】
第１のシグナルの検出は第２のシグナルの検出の前、後または同時に行われてよい。
【０２７７】
固体支持体は特に上に定義のとおりである。
【０２７８】
第１のシグナルは、例えば化学ルミネッセンスによる蛍光またはルミネッセンスシグナルであってよい。
【０２７９】
第２のシグナルは、例えば化学ルミネッセンスによる蛍光またはルミネッセンスシグナルであってよい。
【０２８０】
好ましい一実施形態では、第１のシグナルは蛍光シグナルであり、第２のシグナルはルミネッセンスシグナル、好ましくは化学ルミネッセンスによるもの（または逆も同様）である。
【０２８１】
固体支持体で生成される第１のシグナルおよび第２のシグナルを検出するための手段は、光学ベンチと呼ばれる。
【０２８２】
光学ベンチは、例えば、
−  照明システム、
−  テレセントリック対物レンズ、
−  フィルターホイール（前記テレセントリック対物レンズは、好ましくは、その出力レンズで前記フィルターホイールにカップリングされている）、および
−  カメラ
を含むまたはからできていてよい。
【０２８３】
照明システムは好ましくは可変照明システムである。
【０２８４】
照明システムは、例えば使用された固体支持体の蛍光または幾何学的形態（geometry）を明らかにするために、固体支持体をさらに強いまたは弱い強度で照らせるようにする。
【０２８５】
テレセントリック対物レンズは、好ましくは大きい。特に、テレセントリック対物レンズは固体支持体全体を覆う。
【０２８６】
テレセントリック対物レンズは、画像を変形することなく測定される表面全体を画像化、標準対物レンズに伴う視差エラーを排除および観察した表面全体にわたるシグナル均一性を保証できるようにする。
【０２８７】
テレセントリック対物レンズは、好ましくは、その出力レンズでフィルターホイールにカップリングされている。
【０２８８】
フィルターホイールは、テレセントリック対物レンズとカメラ（画像取得カメラとも呼ばれる）との間にさまざまなフィルターを存在させることができるようにする。好ましい一実施形態では、したがって、一例では少なくとも１つの耐性対照マーカー（特に、少なくとも１つのフルオロフォア）によって放出される光からフィルターの存在を通じて励起シグナルの光を分離することができるように、他の場合では分析物の検出リガンドの少なくとも１つの検出マーカーによって生成されるシグナルの最大量を、シグナルをフィルタリングしないがアセンブリの光学的特性の維持を保証する中性ウィンドウ（neutral window）の存在を通じて回収できるように、カメラのセンサーに達する波長を選択できる。
【０２８９】
カメラは、さまざまな露出時間で画像を取得できるようにする。
【０２９０】
それにより規定の光学ベンチは：
−  可視ドメイン（位置調整画像とも呼ばれる）での画像、例えば照明システムからの照明を使用するが、特異的フィルターを使用しないことによる、
−  蛍光画像（検出画像とも呼ばれる）、照明システムからの照明および探索される蛍光に対する特異的フィルターを使用することによる、
−  照明および特異的フィルターを伴わない画像（分析画像とも呼ばれる）、例えば化学ルミネッセンスシグナルを明らかにするため
などの、異なる照明、フィルタリングおよび／または画像取得パラメーターで同じ支持体の系列画像を取ることができるようにする。
【０２９１】
前記第１のシグナルの位置からリーディンググリッドを定義するためおよび前記リーディンググリッドで第２のシグナルを読み取るための手段は、画像化システムを含むまたはからできていてよい。
【０２９２】
したがって、有利な一実施形態では、光学ベンチは、いくつかのステップを含む分析方法を実行できるようにし、特に実施される分析の正確性およびロバスト性を保証する画像化システムと関連しており、前記ステップは、
１．固体支持体の固体支持体およびコンパートメント（複数可）を探索および位置調整するステップ、特に位置調整画像による；この処理の目的は、固体支持体のいかなる機械的位置調整誤差も低減し、高度で精密な位置調整を有さない機構を使用できるようにすることである；
２．ステップ１において決定したコンパートメント（複数可）の位置から、各コンパートメントにおいて、各スポットの理論的位置を表す理論的グリッドを位置調整する；この位置調整は、例えば分析系において記載される基準グリッドから行われてよく、前記基準グリッドはコンパートメントの基準ポイントと比較した各スポットの座標を示す；コンパートメントの基準ポイントは、例えばコンパートメントの中央である；
３．固体支持体のコンパートメント（複数可）に存在するすべての蛍光事象について照明および蛍光フィルターを用いて行われた検出画像を使用して探索するステップ、ならびに任意選択で、完全に予測規格外であるものを除外するためにそれらのサイズおよび形状による事象の選択を使用して特定の事象を排除するステップ；
４．○  既に検出され、有効であると見なされた事象の位置、
○  ステップ２において定義された予測されるスポットの理論的位置；
の間の比較、
５．欠損しているスポットを検出できるようにする「理論的スポット」／「蛍光事象」対を形成するために、予測されるスポットそれぞれについて、最も近い検出された事象と理論的スポット面との交差の関連付け。各理論的スポットについて、異なる独自の蛍光事象が存在するはずである；
６．検出されたスポットの完全性を保証できるようにする直径、形状、理論的位置からの距離の基準を使用する検出されたスポットそれぞれの特徴付け；
７．検出されたスポットそれぞれについてリーディンググリッドと呼ばれる、目的の対応する領域の定義、特に検出されたスポットの面および座標による定義；ならびに
８．ステップ７において定義されたリーディンググリッド上で第２のシグナルの読み取り、特に目的のこの領域、すなわちリーディンググリッドでの分析画像上の第２のシグナルの定量
を含む。
【０２９３】
スポットの質のチェックを含む分析方法
本発明による分析方法は、少なくとも１つの試料中の少なくとも１つの分析物の検出を可能にする。
【０２９４】
本発明は特に、少なくとも１つの試料中の少なくとも１つの分析物を検出するための方法であって、
ａ）分析される試料を固体支持体のコンパートメントのスポット（複数可）の存在下に置くステップであって、前記スポットまたは複数の前記スポットのうちの少なくとも１つが、少なくとも１つの耐性対照マーカーおよび分析物の少なくとも１つの捕捉リガンドを含む、ステップ、
ｂ）分析物の少なくとも１つの検出リガンドを前記コンパートメントのスポット（複数可）の存在下に置くステップであって、分析物の前記検出リガンドが直接または間接検出マーカーにカップリングされている、ステップ、
ｃ）分析物の少なくとも１つの検出リガンドが間接検出マーカーにカップリングされている場合、前記間接検出マーカーのレポーターを前記コンパートメントのスポット（複数可）の存在下に置くステップ、
ｄ）ステップｃ）において使用されるレポーターが間接検出マーカーにカップリングされている場合、ステップｃ）において使用される前記レポーターにカップリングされている間接検出マーカーのレポーターを前記コンパートメントのスポット（複数可）の存在下に置くステップ、
ｅ）前記コンパートメント中の少なくとも１つの耐性対照マーカーによって生成されるシグナルを検出するステップ、
ｆ）ステップｅ）において検出されたシグナルの位置からリーディンググリッドを定義するステップ、
ｇ）任意選択で、分析物の検出リガンドの少なくとも１つの検出マーカーによって生成されるシグナルを検出するステップ、ならびに
ｈ）任意選択で、ステップｆ）において定義されたリーディンググリッドでステップｇ）において検出されたシグナルを読み取るステップ
を含む方法に関する。
【０２９５】
上に定義のとおり、そのまたは前記耐性対照マーカーは、分析方法の終了時に検出可能なシグナルを生成できる、すなわち分析方法が前記スポットの劣化を伴わずに実施される場合にスポットで検出可能なシグナルを生成する。特に、そのまたは前記耐性対照マーカーは、上の方法のステップｅ）の際に検出可能なシグナルを生成できる。
【０２９６】
本発明は特に、
ａ）分析される試料を固体支持体のコンパートメントのスポット（複数可）の存在下に置くステップであって、前記スポットまたは複数の前記スポットのうちの少なくとも１つが、少なくとも１つの耐性対照マーカーおよび分析物の少なくとも１つの捕捉リガンドを含む、ステップ、
ｂ）分析物の少なくとも１つの検出リガンドを前記コンパートメントのスポット（複数可）の存在下に置くステップであって、分析物の前記検出リガンドが直接または間接検出マーカーにカップリングされている、ステップ、
ｃ）分析物の少なくとも１つの検出リガンドが間接検出マーカーにカップリングされている場合、前記間接検出マーカーのレポーターを前記コンパートメントのスポット（複数可）の存在下に置くステップ、
ｄ）ステップｃ）において使用されるレポーターが間接検出マーカーにカップリングされている場合、ステップｃ）において使用される前記レポーターにカップリングされている間接検出マーカーのレポーターを前記コンパートメントのスポット（複数可）の存在下に置くステップ、
ｅ）前記コンパートメント中の少なくとも１つの耐性対照マーカーによって生成されるシグナルを検出するステップ、
ｆ）ステップｅ）において検出されたシグナルの位置からリーディンググリッドを定義するステップ
ｇ）任意選択で、分析物の検出リガンドの少なくとも１つの検出マーカーによって生成されるシグナルを検出するステップ、ならびに
ｈ）任意選択で、ステップｆ）において定義されたリーディンググリッドでステップｇ）において検出されたシグナルを読み取るステップ
を含み、
前記耐性対照マーカー（複数可）は、少なくとも１つの分析物を検出するための前記方法の実施の際に固体支持体の表面のスポットに、ステップｅ）の際に検出可能なシグナルを生成するように少なくとも部分的に固定されたままであるマーカーである、方法に関する。
【０２９７】
ステップａ）からｄ）は、ステップｅ）からｈ）のさらに前に行われる。
【０２９８】
ステップｇ）は、ステップｅ）の前、後または同時に実行されてよい。具体的な一実施形態では、ステップｇ）は、ステップｅ）の前または後に実行される。
【０２９９】
ステップｆ）は、ステップｅ）の後にさらに実行される。
【０３００】
ステップｆ）は、ステップｅ）の後でステップｈ）の前にさらに実行され、ステップｇ）の前、後または同時に実行されてよい。
【０３０１】
ステップｈ）は、ステップｅ）からｇ）の後にさらに実行される。
【０３０２】
ステップａ）からｆ）および該当する場合、ステップｇ）および／またはステップｈ）は、試料が分析される、分析物の少なくとも１つの耐性対照マーカーおよび少なくとも１つの捕捉リガンドを含む少なくとも１個のスポットを含む固体支持体の各コンパートメントについて行われる。
【０３０３】
ステップｇ）および／またはｈ）は、ステップｆ）において定義されたリーディンググリッドがステップｇ）において検出されたシグナルを読み取るためのいかなる区域も示さない場合は行われなくてよい。
【０３０４】
ステップｈ）が実行される場合、ステップｇ）も実行される。
【０３０５】
方法は、１回または数回の洗浄ステップを例えばステップａ）からｄ）のそれぞれまたはいくつかの間に有利に含んでよい。
【０３０６】
試料を分析する目的の各コンパートメントの洗浄は、容量（例えば４００μＬ）の洗浄溶液（例えば、０．０１Ｍ  Ｔｒｉｓ  ＮａＣｌ緩衝液、ｐＨ７．４、Ｔｗｅｅｎ２０が０．１％で添加）を分配および吸引する少なくとも１サイクル、好ましくは３から６サイクルを含む。
【０３０７】
本発明の具体的な一実施形態により、ステップｅ）、ｆ）およびｇ）が実行される順序に関わらずステップｅ）とｇ）の間で、操作および特にピペット操作、分配、撹拌、吸引または洗浄ステップは行われない。
【０３０８】
表現「化合物Ｘをコンパートメントのスポットの存在下に置く」は、化合物Ｘが前記スポットを含むコンパートメントに添加されることを意味し、前記コンパートメントは試料を分析することを目的としている。
【０３０９】
同じステップの際にコンパートメントのスポット（複数可）の存在下に少なくとも２つの化合物が置かれる場合および／または少なくとも２つのステップａ）からｄ）が同時に行われる場合、前記化合物は前記スポット（複数可）の存在下に別々に置かれてよい、すなわち別々の組成物の形態で寄与し；代替的に、前記化合物または化合物のいくつかは、コンパートメントのスポット（複数可）の存在下に１つまたはいくつか混合物の形態で置かれ得る。
【０３１０】
検出方法は、上に定義のまたは上に定義の調製方法によって得られた固体支持体を使用して特に実行される。
【０３１１】
分析物の耐性対照マーカー（複数可）、スポット（複数可）、捕捉リガンド（複数可）は、特に、上に定義のとおりである。
【０３１２】
特に、耐性対照マーカー（複数可）は、ステップｅ）の際に検出可能なシグナルを生成するように、すなわち分析方法がスポットの劣化を伴わずに実施される場合に少なくとも１つの分析物を検出するための前記方法の実行の際に固体支持体の表面の上の前記スポット上に少なくとも部分的に固定されたままであるマーカーである。
【０３１３】
本発明は、特に前記耐性対照マーカーまたは複数の前記耐性対照マーカーのうちの１つが、１つ（またはいくつかの）フルオロフォア（複数可）、例えば１つもしくはいくつかの蛍光化学的分子または１つもしくはいくつかの蛍光タンパク質、例えばフルオロフォアの混合物であることを特徴とする上に定義の方法に関する。
【０３１４】
本発明は、特に前記耐性対照マーカーまたは複数の前記耐性対照マーカーのうちの１つが、耐性対照マーカー、特にフルオロフォアであり、その励起スペクトルが、分析物の前記検出リガンド（複数可）の検出マーカーによって放出されるまたはそれに対応するシグナルの発光スペクトルに重複せず、その発光スペクトルが、分析物の前記検出リガンド（複数可）の検出マーカーのまたはそれに対応する発光スペクトルに重複しないまたは部分的に重複することを特徴とする上に定義の方法に関する。
【０３１５】
本発明は、例えば前記耐性対照マーカーまたは複数の前記耐性対照マーカーのうちの１つが、耐性対照マーカー、特にフルオロフォアであり、その励起スペクトルがルミノールならびに／またはルミノールのアナログおよび／もしくは誘導体またはルミノールの類似物とペルオキシダーゼ酵素との反応によって得られたルミネッセンス化合物によって放出されるシグナルの発光スペクトルに重複せず、その発光スペクトルがルミノールならびに／またはルミノールの類似物および／もしくは誘導体またはルミノールの類似物とペルオキシダーゼ酵素との反応によって得られたルミネッセンス化合物の発光スペクトルに重複しないまたは部分的に重複することを特徴とする上に定義の方法に関する。
【０３１６】
好ましい一実施形態では、上に定義の検出方法は、
ａ）分析される試料を固体支持体のコンパートメントのスポット（複数可）の存在下に置くステップであって、前記スポットまたは複数の前記スポットのうちの少なくとも１個が、少なくとも１つの耐性対照マーカーおよび分析物の少なくとも１つの捕捉リガンドを含む、ステップ、
ｂ）分析物の少なくとも１つの検出リガンドを前記コンパートメントのスポット（複数可）の存在下に置くステップであって、分析物の前記検出リガンドが間接検出マーカーにカップリングされているステップ、
ｃ）前記間接検出マーカーのレポーターを前記コンパートメントのスポット（複数可）の存在下に置くステップ、
ｄ）ステップｃ）において使用されるレポーターが間接検出マーカーにカップリングされている場合、ステップｃ）において使用される前記レポーターにカップリングされている間接検出マーカーのレポーターを前記コンパートメントのスポット（複数可）の存在下に置くステップ、
ｅ）前記コンパートメント中の少なくとも１つの耐性対照マーカーによって生成されるシグナルを検出するステップ、
ｆ）ステップｅ）において検出されたシグナルの位置からリーディンググリッドを定義するステップ、
ｇ）任意選択で、分析物の検出リガンドの少なくとも１つの検出マーカーによって生成されるシグナルを検出するステップ、ならびに
ｈ）任意選択で、ステップｆ）において定義されたリーディンググリッドでステップｇ）において検出されたシグナルを読み取るステップ
を含む。
【０３１７】
本発明は特に、
−  分析物の検出リガンドの少なくとも１つの検出マーカーによって生成される前記シグナルがペルオキシダーゼと、ルミノール、ルミノールの類似物および／またはルミノールもしくはルミノールの類似物の誘導体との反応によって得られた化学ルミネッセンス化合物によって放出される光であり、
−  そのまたは前記耐性対照マーカー（複数可）によって生成されるシグナルが波長３７５から５５０ｎｍまで、３７５から５８０ｎｍまでまたは３５０から５８０ｎｍ（両端を含む）まで以外で放出される光である
ことを特徴とする上に定義の方法に関する。
【０３１８】
好ましくは耐性対照マーカー（複数可）は、波長３７５から５５０ｎｍまで、３７５から５８０ｎｍまでまたは３５０から５８０ｎｍまで（両端を含む）以外の励起スペクトルおよび好ましくは発光スペクトルを有する。
【０３１９】
分析方法は、例えば免疫アッセイ、特にＥＬＩＳＡ（酵素結合免疫吸着アッセイ）検査などの免疫酵素アッセイである。分析方法は、核酸を検出するためにも使用され得る。
【０３２０】
ステップａ）では、分析される試料は固体支持体のコンパートメントのスポット（複数可）の存在下に置かれる。
【０３２１】
いくつかの試料が分析され、固体支持体がいくつかのコンパートメントを含む場合、ステップａ）は、固体支持体の少なくとも１つのコンパートメントのスポット（複数可）の存在下に試料を置くステップを含み、前記固体支持体は、少なくとも１つの耐性対照マーカーおよび分析物の少なくとも１つの捕捉リガンドを含む少なくとも１個のスポットを含む、少なくとも分析される試料の数と同数のコンパートメントを含む、またはいくつかの固体支持体が使用される。
【０３２２】
いくつかの試料が分析され、固体支持体が単一のコンパートメントを含む場合、ステップａ）は、固体支持体のコンパートメントに試料を添加する（または、前記コンパートメントが固体支持体それ自体に相当する場合、試料を前記固体支持体に添加する）ことを含み、少なくとも１つの耐性対照マーカーおよび分析物の少なくとも１つの捕捉リガンドを含む少なくとも１個のスポットを含むコンパートメントを含む、少なくとも分析される試料の数と同数の固体支持体を使用する。
【０３２３】
いくつかの試料が分析される場合、異なるコンパートメントが各試料について使用される。特に前記コンパートメントが異なるスポット組成物を有する場合、同じ試料を分析するために１つまたはいくつかの固体支持体のいくつかのコンパートメントも使用できる。
【０３２４】
ステップａ）およびｂ）は同時に、ステップｂ）の前にステップａ）、またはステップａ）の前にステップｂ）が行われてよい。ステップｂ）がステップａ）の前に行われる場合、方法は、これら２つのステップａ）とｂ）との間に洗浄ステップを含まない。
【０３２５】
それらが存在する場合、ステップｃ）およびｄ）は、ステップａ）およびｂ）の後に好ましくは行われ、ステップａ）およびｂ）とステップｃ）およびｄ）との間に好ましくは少なくとも１回の洗浄ステップがある。
【０３２６】
それらが存在する場合、ステップｃ）およびｄ）は同時に、またはステップｄ）の前にステップｃ）が行われてよい。ステップｄ）がステップｃ）の前に行われる場合、方法は２つのステップｄ）とｃ）との間に洗浄ステップを含まない。
【０３２７】
存在する場合、ステップｄ）は好ましくはステップｃ）の後に行われ、ステップｃ）とｄ）との間に少なくとも１回の洗浄ステップがある。
【０３２８】
ステップｂ）では、分析物の少なくとも１つの検出リガンドが前記コンパートメントのスポット（複数可）の存在下に置かれる。
【０３２９】
ステップｂ）は、特に試料を分析することを目的とする各コンパートメントにおいて行われる。
【０３３０】
分析物の検出リガンド（複数可）は、特に上に定義のとおりである。
【０３３１】
好ましくはステップｂ）は、検出される各分析物の少なくとも１つの検出リガンドを添加するステップを含む。分析物の異なる検出リガンドが使用される場合、それらは同時にまたは順に添加されてよく、リガンドのすべてまたは一部は別々の組成物または１つまたはいくつかの混合物の形態で与えられてよい。分析物の検出リガンドのいくつかは、ステップａ）と同時に添加されてよく、好ましくは分析物の検出リガンドの残りを添加する前に洗浄ステップが続く。
【０３３２】
分析物の検出リガンドがステップｂ）の際に連続的に添加される場合、少なくとも１つの分析物検出リガンドの各添加に試料を分析することを目的とするコンパートメントの洗浄ステップが続いてよい。
【０３３３】
ステップｃ）およびｄ）の性能は、検出リガンドの検出マーカーおよび、該当する場合は、検出リガンドの検出マーカーのレポーターの検出マーカーに依存する。
【０３３４】
したがって分析物の少なくとも１つの検出リガンドが間接検出マーカーにカップリングされる場合に、ステップｃ）は実行される。
【０３３５】
好ましくは分析物の検出リガンド（複数可）は、同じ検出マーカーにカップリングされる。分析物の少なくとも２つの検出リガンドが異なる間接検出マーカーにカップリングされる場合、ステップｃ）は、各マーカーのシグナルを検出するために各間接検出マーカーについて実行される。
【０３３６】
ステップｄ）は、ステップｃ）において使用される少なくとも１つのレポーター（第１のレポーターとも呼ばれる）が間接検出マーカーにカップリングされている場合に実行される。ステップｄ）において使用されるレポーターは第２のレポーターと呼ばれる。
【０３３７】
ステップｄ）が実行される場合、それによりステップｃ）も実行される。
【０３３８】
ステップｅ）では、少なくとも１つの耐性対照マーカーによって生成されるシグナルは、前記コンパートメントにおいて検出される。
【０３３９】
少なくとも２つの耐性対照マーカーが使用される場合、ステップｅ）は、好ましくは前記耐性対照マーカーそれぞれによって生成されるシグナルを検出するステップを含む。
【０３４０】
少なくとも１つの耐性対照マーカーによって生成されるシグナルの検出は、特に固体支持体の各コンパートメント中に少なくとも１つの耐性対照マーカーを含む各スポットを局在化できるようにする。
【０３４１】
少なくとも１つの耐性対照マーカーによって生成されるシグナルは、好ましくは蛍光によって放出されるシグナルである。
【０３４２】
ステップｆ）では、リーディンググリッドは、ステップｅ）において検出されたシグナルの位置から定義される。
【０３４３】
リーディンググリッドは、コンパートメントのどの区域（複数可）において第２のシグナルが読み取られる（または「分析される」もしくは「考慮される」もしくは「解釈される」）はずであるかを正確に示す。特に、リーディンググリッドで定義されたそのまたは１つの区域外でステップｇ）において検出された第２のシグナルは、ステップｈ）の際に第２のシグナルの読み取り（または「分析」もしくは「解釈」）に考慮されない。
【０３４４】
各スポットの輪郭により前記区域を正確に定義することは特に有利である。
【０３４５】
リーディンググリッドを定義するためのステップｆ）は、したがって特に、少なくとも１つの耐性対照マーカーに対応するステップｅ）において検出されたシグナルからスポットの質を検証することを含む。
【０３４６】
「スポットの質」は、スポット（複数可）の存在、位置および／または完全性を指す。
【０３４７】
スポットの完全性は、スポットのサイズおよび形状を含む。
【０３４８】
スポットの質のチェックは、スポットが予測される位置に合致している位置でコンパートメント中に存在する場合、明確に定義された輪郭を有する場合、その形状が合格基準に合致している場合、例えばそれが円板状、近似的に円板状、例えば卵円形または８０％を超える真円度を有する形状を有する場合、およびコンパートメントの別のスポットに交差していない場合、特に、陽性である。
【０３４９】
「８０％を超える真円度」は、検出されたスポットが分析方法の際に行われるすべての処置によって損傷を受けていないことを保証する十分な真円度を有することを意味する。
【０３５０】
例えば、スポットの質のチェックは、シグナルがステップｅ）において検出され、このシグナルが明確に定義された輪郭、円板形状、近似的に円板形状、例えば卵円または８０％を超える真円度を有する場合、およびコンパートメントの別のスポットによって生成されるシグナルに交差しない場合、陽性である。
【０３５１】
ステップｅ）においてスポットでシグナルが検出されない場合、またはスポットが上に示した以外の少なくとも１つの理由のために質対照に合致しない場合、ステップｇ）において前記スポットで任意選択で検出された第２のシグナルは、ステップｈ）における第２のシグナルおよび潜在的に前記スポットに対応するコンパートメントの各スポットで検出された第２のシグナルを読み取る際に、考慮されない。
【０３５２】
ステップｅ）およびｇ）では、シグナルの検出は、好ましくはシグナルの取得を含む。
【０３５３】
本発明による１つまたはいくつかの耐性対照マーカー（複数可）の使用は、したがってスポットが位置付けられる正確な位置での第２のシグナルの読み取りを実施できるようにし、与えられた結果を確実にする一方で、特にスポット欠陥に関連する偽陽性または偽陰性を除外できるようにすることによって、分析の感度を改善できるようにする。
【０３５４】
特に本発明は、上に定義の、分析物の検出リガンドの少なくとも１つの検出マーカーによって生成される前記シグナルがルミネッセントシグナル、特に化学ルミネッセントシグナル、例えばルミノールならびに／またはルミノールの類似物および／もしくは誘導体またはルミノールの類似物とペルオキシダーゼ酵素との反応によって放出される光であることを特徴とする方法に関する。
【０３５５】
さらに特に本発明は、上に定義の、少なくとも１つの耐性対照マーカーによって生成されるシグナルが蛍光によって検出され、分析物の検出リガンドの少なくとも１つの検出マーカーによって生成される前記シグナルがルミネッセンス、特に化学ルミネッセンスによって検出されることを特徴とする方法に関する。
【０３５６】
好ましい一実施形態では、少なくともステップｅ）からｈ）は同じデバイス、例えば「検出の改善のためのデバイス」セクションに記載のデバイスを使用して実行される。
【０３５７】
別の好ましい実施形態では、方法のすべてのステップは、同じデバイス、例えば「検出の改善のためのデバイス」セクションに記載のデバイスを使用して実行される。
【０３５８】
耐性対照マーカーを選択するための方法
本発明は、耐性対照マーカーを選択するための方法であって、
ａ）検査されるマーカーを固体支持体の表面に沈着させて、少なくとも１個のスポットを形成させるステップ、
ｂ）任意選択で、固体支持体の表面を飽和させるステップ、
ｃ）任意選択で、固体支持体の表面を乾燥させるステップ、
ｄ）
（ｉ）１回または複数回の洗浄ステップを実施するステップ、
（ｉｉ）スポット（複数可）を検出リガンドの存在下に置くステップ、
（ｉｉｉ）スポット（複数可）をレポーターの存在下に置くステップ、
（ｉｖ）スポット（複数可）を基質の存在下に置くステップ
のうちの少なくとも１つを実行するステップ、
ｅ）ステップｄ）の終了時にシグナルを生成するマーカーを選択するステップ
を含む方法にも関する。
【０３５９】
検査されるマーカーは、検出され得るシグナルを生成する（例えば放出する）化合物である。例えば検査されるマーカーは、フルオロフォアまたはルミネッセンス化合物である。
【０３６０】
固体支持体は、特に上に定義のとおりである。
【０３６１】
ステップａ）は、検査されるマーカーを固体支持体の表面に沈着させて、少なくとも１個のスポットを形成させることを含むまたはからなる。
【０３６２】
マーカーは、手作業でまたは好適なデバイスを使用して自動的に沈着させてもよい。
【０３６３】
検査されるマーカーは、一般に前記マーカーを含む溶液の形態で沈着させる。
【０３６４】
ステップａ）は、検査される同じマーカーをいくつかのスポットに、濃度を増加させて沈着させるステップを含み得る。
【０３６５】
ステップａ）において沈着させる溶液は、捕捉リガンドを含んでも含まなくてもよい。
【０３６６】
方法は、固体支持体の表面を飽和させるために、潜在的ステップｂ）を含む。飽和ステップは、特に分析方法の実行の際に化合物の非特異的固定を妨げることを目的とする。
【０３６７】
ステップｃ）では、固体支持体の表面は任意選択で乾燥される。
【０３６８】
一般に、ステップａ）および／またはステップｂ）には、１回または数回の洗浄ステップａ’）および／またはｂ’）が続く。
【０３６９】
ステップｄ）は、
（ｉ）１回または複数回の洗浄ステップを実施するステップ、
（ｉｉ）スポット（複数可）を少なくとも１つの検出リガンドの存在下に置くステップ、
（ｉｉｉ）スポット（複数可）を少なくとも１つのレポーターの存在下に置くステップ、および／または
（ｉｖ）スポット（複数可）を少なくとも１つの基質の存在下に置くステップ
のうちの少なくとも１つ、好ましくは少なくとも２つ、より好ましくは少なくとも３つを実行することを含むまたはからなる。
【０３７０】
好ましい一実施形態では、ステップｄ）は、ステップ（ｉｉｉ）および／またはステップ（ｉｖ）、好ましくはステップ（ｉｉｉ）およびステップ（ｉｖ）を含むまたはからなる。
【０３７１】
別の好ましい実施形態では、ステップｄ）は、ステップ（ｉ）、ステップ（ｉｉｉ）および／またはステップ（ｉｖ）、好ましくはステップ（ｉ）、ステップ（ｉｉｉ）およびステップ（ｉｖ）を含むまたはからなる。
【０３７２】
好ましい一実施形態では、ステップｄ）は、少なくともステップ（ｉ）、ステップ（ｉｉ）、ステップ（ｉｉｉ）およびステップ（ｉｖ）を含む。
【０３７３】
ステップ（ｉ）から（ｉｖ）は、任意の所望の順で行われてよい。
【０３７４】
しかし、好ましい一実施形態では、ステップｄ）は、次のステップを次の順：ステップ（ｉｉ）、ステップ（ｉ）、ステップ（ｉｉｉ）、ステップ（ｉ）、ステップ（ｉｖ）およびステップ（ｉ）
で含む。
【０３７５】
別の好ましい実施形態では、ステップｄ）は、次のステップを次の順：ステップ（ｉｉ）、ステップ（ｉ）、ステップ（ｉｉｉ）、ステップ（ｉ）およびステップ（ｉｖ）
で含む。
【０３７６】
別の好ましい実施形態では、これらのステップが存在する場合、ステップ（ｉｉ）はステップ（ｉｉｉ）の前および／またはステップ（ｉｖ）の前に実行され、ステップ（ｉｉｉ）はステップ（ｉｖ）の前に実行される。ステップ（ｉ）は、ステップ（ｉｉ）と（ｉｉｉ）との間、（ｉｉ）と（ｉｖ）との間（特にステップ（ｉｉｉ）が欠けている場合）および／または（ｉｉｉ）と（ｉｖ）との間に実行されてよい。
【０３７７】
好ましくは、ステップ（ｉｉｉ）のレポーターまたは複数のレポーターのうちの１つは、ステップ（ｉｉ）の少なくとも１つの検出リガンドにカップリングされた検出マーカーのレポーターであり、および／またはステップ（ｉｖ）の基質または複数の基質のうちの１つは、レポーターにカップリングされた検出マーカーのレポーターである。
【０３７８】
例えば、ステップ（ｉｉ）の検出リガンドまたは複数の検出リガンドのうちの１つは、ビオチン型の検出マーカーにカップリングされており、ステップ（ｉｉｉ）のレポーターまたは複数のレポーターのうちの１つは、酵素、例えばペルオキシダーゼにカップリングされたストレプトアビジン型のレポーターであり、および／またはステップ（ｉｖ）における基質または複数の基質のうちの１つは、前記酵素の基質、例えばルミノール、ルミノールの類似物、および／またはルミノールもしくはルミノールの類似物の誘導体である。
【０３７９】
選択方法は、ステップｄ）の終了時にシグナルを生成するマーカーを選択するためのステップｅ）を含む。特に、ステップｅ）において選択されるマーカーは、ステップｄ）の終了時にシグナルを生成する。「検出可能なシグナル」は特に上に定義のとおりである。
【０３８０】
好ましくはステップｅ）は、検出リガンドの検出マーカーによって生成されるシグナルの検出を干渉しないまたはほとんど干渉しないマーカーを選択することをさらに含む。
【０３８１】
本発明による選択方法は、
−  任意選択で、第１に、
○  ステップａ）において形成されたスポット（複数可）が捕捉リガンドを含まない、上記ステップａ）からｃ）、
○  任意選択で、ステップｃ）の終了時に検出可能なシグナルを生成するマーカーを選択することを含む第１の予備選択ステップ、
○  任意選択で、同じ支持体上のステップｄ）からｅ）、好ましくは第１の予備選択ステップで選択された前記マーカーでだけ実行される前記ステップの後、ステップｃ）の終了時に検出可能なシグナルを生成するマーカーを選択することを含む第２の予備選択ステップ、
−  第２に、ステップａ）において形成されたスポット（複数可）が捕捉リガンドを含む上記ステップａ）からｅ）（ステップｄ）からｅ）は、好ましくは、前記第１の予備選択ステップで選択された、および／または前記第２の予備選択ステップで選択されたマーカーでだけ行われる）
も含んでよい。
【０３８２】
耐性対照マーカーの使用
本発明は、試料または少なくとも１つの試料中の少なくとも１つの分析物を検出するための方法を確実にするために分析物を検出することを目的とする少なくとも１個のスポット中の少なくとも１つの耐性対照マーカーの使用にも関する。
【０３８３】
「試料または少なくとも１つの試料中の少なくとも１つの分析物を検出するための方法を確実にする」は、本明細書において前記検出方法の終了時に得られた結果の信頼性を、特に、「偽陰性」または「偽陽性」の存在を回避することによって、保証することを意味する。
【０３８４】
「偽陰性」は、前記分析物（複数可）が試料中に存在し、検出されるはずであるのに反して、試料中で検出される１つまたはいくつかの分析物の欠如を反映している陰性の結果である。
【０３８５】
「偽陽性」は、前記分析物（複数可）が試料中にないのに反して、試料中に検出される１つまたはいくつかの分析物の存在を反映している陽性結果である。
【０３８６】
試料中の少なくとも１つの分析物を検出するための方法を確実にすることは、特に、検出方法の終了時に分析物を検出することを目的とするスポット（複数可）の質をチェックすること、および／または少なくとも１つの耐性対照マーカーの使用を通じて分析物の検出の感度を改善することによって得られる。
【０３８７】
本発明は、試料または少なくとも１つの試料中の少なくとも１つの分析物を検出するための方法を確実にするために分析物を検出することを目的とする少なくとも１個のスポット中の少なくとも１つの耐性対照マーカーの使用であって、
−  試料および検出される分析物の少なくとも１つの検出リガンドの存在下に置かれた後に、特に分析方法の終了時に、前記スポットの質をチェックすること、ならびに／または
−  前記耐性対照マーカー（複数可）によって生成されるシグナルの位置から定義されるリーディンググリッド上で検出される分析物の検出リガンドの少なくとも１つの検出マーカーによって生成される前記シグナルの読み取り
を含むことを特徴とする使用に関する。
【０３８８】
したがって、検出される分析物の検出リガンドの少なくとも１つの検出マーカーによって生成されるシグナルの読み取りは、分析方法の終了時に前記耐性対照マーカー（複数可）によって生成され、検出されたシグナルの位置から定義されたリーディンググリッド上で行われる。
【０３８９】
本発明は、特に、試料または少なくとも１つの試料中の少なくとも１つの分析物を検出するための方法を確実にする分析物を検出することを目的とする少なくとも１個のスポットにおける少なくとも１つの耐性対照マーカーの使用であって、
−  前記スポットが、試料および、間接検出マーカーにカップリングされた検出される分析物の少なくとも１つの検出リガンド、前記間接検出マーカーのレポーター（第１のレポーターとも呼ばれる）、任意選択で前記第１のレポーターにカップリングされた間接検出マーカーの第２のレポーターの存在下に置かれた後に前記スポットの質をチェックすること、ならびに／または
−  前記耐性対照マーカー（複数可）によって生成されるシグナルの位置から定義されたリーディンググリッド上で検出される分析物の検出リガンドの少なくとも１つの検出マーカーによって生成されるシグナルの読み取り
を含むことを特徴とする使用に関する。
【０３９０】
本発明は、特に、スポットの質対照が、スポットの存在、位置および／または完全性をチェックすることを含むまたはからなることを特徴とする、上に定義の使用に関する。
【０３９１】
リーディンググリッドは、分析物の検出リガンドの検出マーカー（複数可）によって生成されるシグナルが読み取られるはずであるコンパートメントの区域（複数可）を示す。
【０３９２】
本発明の他の特性および有利点は、例示として非限定的に提供される続く実施例を通じてさらに明らかになる。
【図面の簡単な説明】
【０３９３】
【図１】さまざまなフルオロフォアの使用および実施例１に記載のプロトコールのさまざまなステップにおいて生じた蛍光画像を示す図である。
【図２】本発明による分析方法の終了時に９個のスポットを含む１２ウエルの蛍光シグナルの取得を示す図である。
【図３】蛍光画像：耐性対照マーカーによって生成されるシグナルに基づいた蛍光（点線白色丸）によるスポットの実際の位置に対する理論的リーディンググリッド（実線白色丸）の比較を示す図である。
【図４】化学ルミネッセンス画像：理論的位置グリッド（実線）に対して耐性対照マーカーを通じて検出されたスポットの実際の位置（点線）でリーディンググリッドを定義することによる分析方法の正確度の改善を示す図である。
【図５】化学ルミネッセンス画像：結果を検証する前に検出されたスポットの完全性を検証することによる分析方法の正確度の改善を示す図である。
【図６】照明システム、テレセントリック対物レンズ、フィルターホイール、前記テレセントリック対物レンズはその出力レンズ（output lens）でフィルターホイールにカップリングされている、およびカメラを含む光学ベンチの図である。
【発明を実施するための形態】
【実施例】
【０３９４】
［実施例１］
耐性対照マーカーを選択するための方法例
材料および方法
ポリスチレンマイクロプレート（Ｇｒｅｉｎｅｒ、ドイツ）の各ウエル内に、抗原または抗体のスポッティングのために伝統的に使用される緩衝液中のフルオロフォア溶液５００ｎｌ滴をウエルごとに沈着させる。次のフルオロフォアを本実施例において使用する：Ａｔｔｏ６３３−カルボン酸（すなわちＡｔｔｏ６３３−ＣＯＯＨまたはＡｔｔｏ６３３）（供給者：ＡＴＴＯ−ＴＥＣ；ドイツ）、Ａｔｔｏ６３３−アミン（すなわちＡｔｔｏ６３３由来アミン誘導体）（供給者：ＡＴＴＯ−ＴＥＣ；ドイツ）、Ｄｙｅ６３４−カルボン酸（すなわちＤｙｅ６３４−ＣＯＯＨまたはＤｙｅ６３４）（供給者：Ｄｙｏｍｉｃｓ、ドイツ）、Ｄｙｅ６３４−アミン（すなわちＤｙｅ６３４由来アミン誘導体）（供給者：Ｄｙｏｍｉｃｓ、ドイツ）、Ｄｙｅ６３０−アミン（すなわちＤｙｅ６３０由来アミン誘導体）（供給者：Ｄｙｏｍｉｃｓ、ドイツ）、ＡＰＣ（アロフィコシアニン）（供給者Ｆｅｂｉｃｏ；台湾）、Ｂ−フィコエリトリン（Ｆｅｂｉｃｏ；台湾）。これらのマイクロプレートの各ウエルの底は、当業者によってそれ自体が公知の分子吸着能力を有する。したがって得られた各ウエルの表面は、当業者によってそれ自体が公知の飽和溶液で飽和させる；ウエルは飽和溶液を満たし、飽和溶液を除去し、ウエルを次いで乾燥させ；これらのウエルの再水和ステップ後、次いでルミノール（ＥＬＩＳＴＡＲ  ＥＴＡ  Ｃ  Ｕｌｔｒａ  ＥＬＩＳＡ（Ｃｙａｎａｇｅｎ、イタリア）（実施例２参照）を含有する基質溶液を５０μＬ／ウエルの割合で添加する。蛍光画像は、フルオロフォアに対する適切なフィルターを有するＣｈｅｍｉｄｏｃ（商標）ＭＰ  Ｓｙｓｔｅｍ（Ｂｉｏ−Ｒａｄ）を使用して、上に記載のプロトコール（すなわち、滴を沈着させる、飽和、乾燥、再水和のステップの後、およびルミノールを含有する基質溶液を添加した後）のさまざまなステップで行う。
【０３９５】
結果
図１は、さまざまなフルオロフォアの使用および上に記載のプロトコールのさまざまなステップにおいて生じた画像を記載している。
【０３９６】
４種のフルオロフォアで得られた蛍光は、プレートへの滴の沈着の終了時に完全に可視である。この蛍光は、飽和溶液（飽和後のスポットを参照）の排除後にＡｔｔｏ６３３−アミン、アロフィコシアニンおよびＢ−フィコエリトリンについて継続する。それはＡｔｔｏ６３３−アミンにおよびＢ−フィコエリトリンについて、ルミノールを含有する基質溶液を添加した後にも継続され、アロフィコシアニンについては非常に弱い。同様の結果がＤｙｅ６３４−アミンおよびＤｙｅ６３０−アミン（結果未記載）で得られる。反対に、残存蛍光はＤｙｅ６３４−カルボン酸で洗浄ステップの終了時に可視でなく、基質溶液を添加した後にさらに強くＡｔｔｏ６３３−カルボン酸についても同様である（結果未記載）。
【０３９７】
したがってＡｔｔｏ６３３−アミン、Ｄｙｅ６３４−アミン、Ｄｙｅ６３０−アミンおよびＢ−フィコエリトリンは、本発明による耐性対照マーカーである。
【０３９８】
さらに下の実施例２に例示のとおり、ＢＳＡにカップリングされたＤｙｅ６３４も本発明による耐性対照マーカーである。
【０３９９】
［実施例２］
目的の分析物の検出での耐性対照フルオロフォアの存在の影響の欠如
材料および方法
（ｉ）マイクロプレートの調製
ポリスチレンマイクロプレート（Ｇｒｅｉｎｅｒ、ドイツ）の各ウエル内で、スポッターロボットを捕捉リガンド（複数可）および出願書に記載の方法を使用して選択したフルオロフォアを含有する溶液の５０ｎＬ滴を行で（rows）沈着させるために使用する。
【０４００】
捕捉リガンド溶液は、
−  抗体検出検査の一部として１つもしくは複数の合成ペプチドを伴う組換えタンパク質からできていてよい抗原もしくは抗原の混合物のいずれか、
−  または抗原検出検査の場合は探索マーカーに対する抗体もしくは抗体の混合物
であってよい。
【０４０１】
これらの捕捉リガンド溶液は、選択されたフルオロフォア、例えばＡｔｔｏ６３３−アミン（Ａｔｔｏ−ｔｅｃ、ドイツ）または、ＢＳＡにカップリングされたＮＨＳ−エステル（Ｎ−ヒドロキシサクシニミドエステル）形態でＤｙｅ６３４（Ｄｙｏｍｉｃｓ、ドイツ）から当業者によって公知のプロトコールを使用して得られたＤｙｅ６３４−ＢＳＡ複合体を含有する；これらのフルオロフォアをそれぞれについて決定した好適な用量で添加する；Ｄｙｅ６３４−ＢＳＡについて示される用量はＤｙｅ６３４−ＢＳＡ複合体の濃度に対応する。これらのマイクロプレートの各ウエルの底は、当業者によってそれ自体が公知のこれらのさまざまなタンパク質に対する吸着能力を有する。
【０４０２】
したがって得られたスポットを当業者によってそれ自体が公知の飽和溶液で飽和させる。次にプレートを乾燥させる。
【０４０３】
（ｉｉ）分析方法の実施
分析方法の実施の際に使用した種々の要素の記載：
レポーター
ストレプトアビジンＰＯＤ（Ｓ−ＰＯＤ）レポーターは、当業者にそれ自体が公知のNakane and Kawaoi [J Histochem Cytochem (1974) Vol. 22, No. 12. pp. 1084-1091]によって記載された方法によりペルオキシダーゼ（Ｒｏｃｈｅ  ドイツ）とカップリングさせたストレプトアビジン（Ｒｏｃｈｅ、ドイツ）である。
洗浄溶液
１０ｍＭ  Ｔｒｉｓ緩衝溶液ｐＨ７．４は、２１８ｍＭ  ＮａＣｌ、０．１％Ｔｗｅｅｎ２０（商標）（Ｓｉｇｍａ社の商標）、０．００２％Ｐｒｏｃｌｉｎ  ３００（商標）（Ｓｕｐｅｌｃｏ社の商標）を含有する。
発色基質
ＥＬＩＳＴＡＲ  ＥＴＡ  Ｃ  Ｕｌｔｒａ  ＥＬＩＳＡ発色基質（Ｃｙａｎａｇｅｎ、イタリア）は２種の溶液：ＸＬＳＥ０２４Ｌルミノールエンハンサー溶液（Ａ）およびＸＬＳＥ０２４Ｐ過酸化物溶液（Ｂ）から作られている。
【０４０４】
実行したさまざまなステップの内容：
検査プロトコールは次のステップを含む。
ステップ１：
１．マイクロプレート（スポットを含む）の各ウエルに以下のものを分配する。
−  試料４０μｌ：試料は例えば血清または対照試料であってよい。
−  希釈剤４０μｌ
２．混合物を４０分間、３７℃で撹拌しながらインキュベートする。
３．少なくとも３００μｌの洗浄溶液での３回連続洗浄を行う。
４．次にインキュベーションステップを検出リガンドの存在下で行い、次いでポイント３と同条件で洗浄する。
５．次いでレポーターのインキュベーションステップを行い、次いで洗浄する。
６．最後に、発色基質溶液ＢおよびＡそれぞれ２５μｌの添加を含む最終発色ステップを行う。
７．混合物を１分間、３７℃で撹拌しながらインキュベートする。
８．読み取りを蛍光を測定するためにＣｈｅｍｉｄｏｃ（商標）リーダーで、化学ルミネッセンスを測定するためにＱｖｉｅｗ（商標）リーダーで行う。読み取りの結果を画像分析系によって直接的に処理し、相対光単位（ＲＬＵ）に記録する；相対蛍光強度（ＲＦＩ）も同様。
【０４０５】
結果
各データは３回反復の平均に対応する；蛍光値はバックグラウンドノイズを引いた後の蛍光シグナルレベルに対応する。
【０４０６】
検出される目的のマーカーの特異的抗体溶液に添加したＡｔｔｏ６３３−アミンフルオロフォアで得た結果；
【０４０７】
【表１】
2017510811.tif 000005
【０４０８】
表１に示す結果は、フルオロフォア用量０．３５μｇ／ｍｌ以下について分析物の検出へのＡｔｔｏ６３３−アミンフルオロフォアの存在の影響の欠如を示している。分析物の検出限界の算出は、１．２μｇ／ｍｌの用量までのフルオロフォアの存在の影響の欠如を示している。捕捉リガンドの存在は、分析の終了時に非常に顕著で完全に検出可能なままである蛍光をごくわずかに改変するだけである（表２参照）。
【０４０９】
【表２】
2017510811.tif 000006
【０４１０】
検出される目的のマーカーの特異的抗体溶液に添加されたＤｙｅ６３４−ＢＳＡフルオロフォアで得られた結果：
表３に示す結果は、フルオロフォア用量６μｇ／ｍｌ以下について分析物の検出へのＡｔｔｏ  ６３４−ＢＳＡの存在の影響の欠如を示しており、この用量は、分析の終了時での蛍光の検出および本出願に記載のデータ処理方法の実施と共用できる。
【０４１１】
【表３】
2017510811.tif 000007
【０４１２】
検出される抗体に対応する抗体溶液に添加されたＡｔｔｏ６３３−アミンフルオロフォアで得られた結果：
表４に示す結果は、フルオロフォア用量０．１μｇ／ｍｌ以下について分析物の検出へのＡｔｔｏ６３３−アミンフルオロフォアの存在の影響の欠如を示している。捕捉リガンド（表５参照）の存在は蛍光を改変するが、シグナルは非常に顕著で、分析の終了時に完全に検出可能であり、本出願に記載のデータ処理方法を実行するために使用可能なままである。
【０４１３】
【表４】
2017510811.tif 000008
【０４１４】
【表５】
2017510811.tif 000009
【０４１５】
検出される抗体に対応する抗体溶液に添加されたＤｙｅ６３４−ＢＳＡフルオロフォアで得られた結果
【０４１６】
【表６】
2017510811.tif 000010
【０４１７】
表６に示す結果は、フルオロフォア用量に関わらず分析物の検出へのＤｙｅ６３４−ＢＳＡフルオロフォアの存在の影響の欠如を示している。分析の終了時に得られた蛍光シグナルは、完全に検出可能であり、本出願に記載のデータ処理方法を実行するために使用できる。
【０４１８】
［実施例３］
試料中の少なくとも１つの分析物を検出するための方法を確実にする耐性対照マーカーの使用
材料および方法
（ｉ）マイクロプレートの調製
ポリスチレンマイクロプレート（Ｇｒｅｉｎｅｒ、ドイツ）の各ウエル内で、スポッターロボットを捕捉リガンド（複数可）および出願書に記載の方法を使用して選択したフルオロフォアを含有する溶液の５０ｎＬ滴を行で沈着させるために使用する。
捕捉リガンド溶液は、
−  抗体検出検査の一部として１つもしくは複数の合成ペプチドを伴う組換えタンパク質からできていてよい抗原もしくは抗原の混合物のいずれか、
−  または抗原検出検査の場合は探索マーカーに対する抗体もしくは抗体の混合物
であってよい。
【０４１９】
これらの捕捉リガンド溶液は、選択されたＡｔｔｏ６３３−アミンフルオロフォア（Ａｔｔｏ−ｔｅｃ、ドイツ）を０．１から０．５μｇ／ｍＬに含まれる好適な用量で含有する。これらのマイクロプレートの各ウエルの底は、当業者によってそれ自体が公知のこれらのさまざまなタンパク質に対する吸着能力を有する。
【０４２０】
それにより得られたスポットは、当業者によってそれ自体が公知の飽和溶液で飽和させる。プレートを次に乾燥させる。
【０４２１】
（ｉｉ）分析方法の実施
分析方法の実施の際に使用される種々の要素の記載：
【０４２２】
Ｉ．レポーター
ストレプトアビジン−ＰＯＤ（Ｓ−ＰＯＤ）レポーターは、当業者によりそれ自体が公知のP. Nakane and A. Kawaoi [J Histochem Cytochem (1974) Vol. 22, No. 12. pp. 1084-1091]によって記載された方法によりペルオキシダーゼ（Ｒｏｃｈｅ  ドイツ）とカップリングされたストレプトアビジン（Ｒｏｃｈｅ、ドイツ）である。
【０４２３】
ＩＩ．希釈剤
ａ）希釈ステップ１
５０ｍＭ  Ｔｒｉｓ緩衝溶液、ｐＨ７．５：１５０ｍＭ  ＮａＣｌ、２０ｍＭ  ＥＤＴＡ、５００μｇ／ｍＬマウスＩｇＧ（Ｍｅｒｉｄｉａｎ）、１５％ウシの乳汁（１００％スキム）、１０％ヒツジ血清、０．０９５％ＮａＮ３を含有。
ｂ）コンジュゲート１の希釈
５０ｍＭ  Ｔｒｉｓ緩衝溶液、ｐＨ７．５：１５０ｍＭ  ＮａＣｌ  ２０ｍＭ  ＥＤＴＡ、０．１％Ｃｈａｐｓ、１０％グリセロール、０．０９５％ＮａＮ３を含有。
ｃ）コンジュゲート２の希釈
５０ｍＭクエン酸緩衝溶液、ｐＨ６．７：１５０ｍＭ  ＮａＣｌ、５．６ｍＭ  ＥＤＴＡ、２％Ｔｒｉｔｏｎ、１０％ヒツジ血清、５００μｇ／ｍＬマウスＩｇＧ、０．５％Ｐｒｏｃｌｉｎ３００（商標）（Ｓｕｐｅｌｃｏ社の商標）、１５％ウシの乳汁（１００％スキム）、１０％グリセロール、０．０９５％ＮａＮ３を含有。
ｄ）ストレプトアビジン−ＰＯＤレポーターの希釈
５０ｍＭクエン酸緩衝溶液、ｐＨ６．７：２０５３ｍＭ  ＮａＣｌ、０．５％Ｔｗｅｅｎ２０（商標）（Ｓｉｇｍａ社の商標）、０．５％Ｐｒｏｃｌｉｎ３００（商標）（Ｓｕｐｅｌｃｏ社の商標）、７％ウシの乳汁（１００％スキム）、２０％グリセロールを含有。
ｅ）洗浄溶液
１０ｍＭ  Ｔｒｉｓ緩衝溶液、ｐＨ７．４：２１８ｍＭ  ＮａＣｌ、０．１％Ｔｗｅｅｎ２０（商標）（Ｓｉｇｍａ社の商標）、０．００２％Ｐｒｏｃｌｉｎ３００（商標）（Ｓｕｐｅｌｃｏ社の商標）を含有。
ｆ）発色基質
ＥＬＩＳＴＡＲ  ＥＴＡ  Ｃ  Ｕｌｔｒａ  ＥＬＩＳＡ発色基質（Ｃｙａｎａｇｅｎ、イタリア）は２種の溶液：ＸＬＳＥ０２４Ｌルミノールエンハンサー溶液（Ａ）およびＸＬＳＥ０２４Ｐ過酸化物溶液（Ｂ）から作られている。
【０４２４】
ＩＩＩ．反応ディッシュ
免疫学的反応は１ウエル当たり最大容積３９２μＬを有しポリスチレンで作られている９６ウエルマイクロプレート（Ｇｒｅｉｎｅｒ、ドイツ）で行う。
【０４２５】
ＩＶ．試料
使用した陰性試料（血清または血漿）は、リールのフランス血液局に由来する。
【０４２６】
Ｖ．光学ベンチ
使用した光学ベンチは、次の要素：
−  波長６２０ｎｍを軸とした赤色光を発し、マイクロプレートの下面を均一に照らすように組み立てられた照明システム、
−  マイクロプレートの表面全体を画像化できるように生成されたテレセントリック対物レンズ、
−  テレセントリック対物レンズの出力レンズ（output lens）とカメラとの間に挿入されたフィルターホイール、
−  ０．００１秒間から２５０秒間の間に含まれる露出時間で画像を撮る能力を有するカメラ、
−  マイクロプレートを含むすべての要素を支持し、位置付ける支持シャーシ
から作られている。光学ベンチは、マイクロプレートの下面から画像を取るように研究され、組み立てられている。対物レンズの開発は、マイクロプレートウエルの内面が明らかであるように開発されている。
フィルターホイールは２枚の異なるフィルター：
−  フルオロフォアによって放出される光に対応するシグナルだけが通過できるようにする波長６８０ｎｍを軸とするフィルター、
−  ４００ｎｍから７００ｎｍまでのすべての波長が通過できるようにするフィルター
を有することができる。
【０４２７】
実行されるさまざまなステップの内容：
検査プロトコールは以下のステップを含む。
ステップ１：
１．マイクロプレート（スポットを含む）の各ウエルに以下のものを連続的に分配する。
＋  ステップ１の希釈物２０μｌ
＋  第１のステップ由来のアッセイされる分析物の検出リガンドを含むコンジュゲート１の希釈物２０μｌ
＋  試料４０μｌ
２．混合物を４０分間、３７℃で撹拌しながらインキュベートする。
３．連続３回の洗浄を少なくとも４００μｌの洗浄液で行う。
ステップ２：
４．各反応ウエル中に分配されるのは第２のステップ由来のアッセイされる分析物の検出リガンドを含有するコンジュゲート２の希釈物５０μｌである。
５．混合物を１５分間、３７℃で撹拌しながらインキュベートする。
６．洗浄ステップ（ポイント３と同じ）を実行する。
ステップ３：
７．Ｓ−ＰＯＤレポーター５０μＬを各反応ウエルに分配する。
８．混合物を１５分間、３７℃で撹拌しながらインキュベートする。
ステップ４：
９．発色溶液「Ｂ」２５μＬを各反応ウエルに分配する。
１０．発色溶液「Ａ」２５μＬを各反応ウエルに分配する。
１０．混合物を１分間、３７℃で撹拌しながらインキュベートする。
１１．蛍光シグナルの取得を１０秒間行う。
１２．ルミネッセンスシグナルの取得を１８０秒間行う。
【０４２８】
結果
Ａ）分析方法後の耐性対照マーカーの持続性
１２ウエル中に存在する９個のスポットそれぞれの耐性対照マーカーの蛍光シグナルは、はっきりと同定可能であり、図２において分析方法の終了時に完全に測定可能である。
【０４２９】
Ｂ）分析方法の終了時にリーディンググリッドを再定義する重要性：理論的位置と比較してリーディンググリッドを定義すること対、耐性対照マーカーによる蛍光によって放出されるシグナルからリーディンググリッドを定義すること、による蛍光によって得られた目的の領域の比較。
【０４３０】
図３では、実線白丸はスポットの理論的位置を示し、点線白丸は検出された実際の位置を示す。スポットはそれらの期待される理論的な位置と比較して明らかにシフトしている。
この画像は、耐性対照マーカーを通じて検出された実際のスポットの位置を常に標的化できるようにし、分析物の検出リガンドの検出マーカーによって放出されるシグナルの読み取りに誤差を生じない、方法の妥当性を実証している。
【０４３１】
Ｃ）分析方法の終了時のリーディンググリッドの再定義の重要性：理論的位置と比較してリーディンググリッドを定義すること対、耐性対照マーカーによる蛍光によって放出されるシグナルからリーディンググリッドを定義すること、による化学ルミネッセンスによって得られた目的の領域の比較。
【０４３２】
実際のスポット位置（点線）を耐性対照マーカーによって生成されるシグナルに基づいて得て、図４で本明細書において示す化学ルミネッセンスによる分析物のリガンドの検出マーカーのシグナルの取得画像に適用した。スポットの理論的位置調整は実線で示され、実際の位置と比較したシフトを明らかに示している。
【０４３３】
予測される理論的位置（実線）に置かれた画素の化学ルミネッセンスでの中央値と蛍光によって実際に検出された位置（点線）との比較を表７に示す。
【０４３４】
【表７】
2017510811.tif 000011
【０４３５】
シグナルを生成するスポットを含有する領域の分析は、同じスポットの理論的存在領域よりも有意に高い結果を提供する。シグナルの定量および得られた結果の正確度は、したがって、耐性対照マーカーにより検出された実際の位置調整グリッドでそれ自体を基準とすることによって改善される。
【０４３６】
Ｄ）スポットの完全性の検証を伴わない偽結果を生じる場合がある、分析方法後に変質したスポットの例
実際のスポット（点線）の位置を耐性対照マーカーによって生成されるシグナルに基づいて得て、本明細書で示す化学ルミネッセンスによる分析物のリガンドの検出マーカーのシグナルの取得画像に適用する（図５参照）。スポットの理論的位置調整は実線で示される。
【０４３７】
画像（図５参照）ではウエルの中央に位置付けられたスポットは変形される。それを囲む白色破線はソフトウェアがスポットの実際の形状を検出したことを示しており、得られた結果を検証する前にその完全性を分析できるようにする。この場合、スポットの実際の形状の真円周囲長はこのスポットを除外し、偽の分析値を生じないようにできる。
【図１】
2017510811.tif 000012
【図２】
2017510811.tif 000013
【図３】
2017510811.tif 000014
【図４】
2017510811.tif 000015
【図５】
2017510811.tif 000016
【図６】
2017510811.tif 000017
【国際調査報告】
2017510811.tif 000018
2017510811.tif 000019
2017510811.tif 000020
2017510811.tif 000021